(57)【要約】【課題】自摸した牌が遊技者にとって不要な牌である場合には、自動的に捨て牌の処理を行なうことを可能にした雀球遊技機を提供する。【解決手段】遊技者が自摸操作を行なう前に、遊技者が希望する自摸牌の図柄を表示手段と対話方式で予め指定させる自摸牌候補指定手段と、この希望する自摸牌の図柄を指定した自摸操作により遊技球が入球した入球口に対応する図柄が、自摸牌候補指定手段により予め指定された自摸牌の図柄に含まれていないときには、この自摸操作により自摸牌となった図柄を捨て牌として処理する自摸牌の自動捨て牌処理手段を備えている雀球遊技機である。【選択図】図６
2007244744.tif 000002
【特許請求の範囲】
【請求項１】
複数種の牌の図柄に対応する入球口が配置された遊技盤と、前記遊技盤に遊技球を順次発射して入球した前記入球口に対応する牌の図柄を自摸操作による自摸牌としてその図柄を、表示手段の手牌を表示する手牌表示部に追加して表示する自摸操作処理手段と、前記手牌表示部に表示された手牌から不要な牌を捨てるための捨て牌操作処理手段とを備え、前記手牌の組合せが予め設定された上がりの組合せを完成させると、上がり役ごとに設定された入賞に伴う枚数のメダルを獲得できる雀球遊技機において、
前記自摸操作を行なう前に、遊技者が希望する自摸牌の図柄を前記遊技者に前記表示手段と対話方式で指定させる自摸牌候補指定手段と、
前記希望する自摸牌の図柄を指定した前記自摸操作により、前記遊技球が入球した入球口に対応する図柄が、前記自摸牌候補指定手段により指定された前記自摸牌の図柄に含まれていないときに、前記自摸操作により自摸牌となった図柄を捨て牌として処理する自摸牌の自動捨て牌処理手段を備えていることを特徴とする雀球遊技機。
【請求項２】
前記自摸牌候補指定手段は、前記遊技者が希望する自摸牌を複数個指定させる手段を備えていることを特徴とする請求項１に記載の雀球遊技機。
【請求項３】
前記入球口のそれぞれを明示するために前記遊技盤に配設された発光手段と、
前記自摸牌候補指定手段により指定された前記自摸牌の図柄であって、該指定された図柄に対応する入球口に係る前記発光手段を点灯させる入球口点灯制御手段を備えていることを特徴とする請求項１に記載の雀球遊技機。
【請求項４】
ゲーム開始時に、当該ゲームにおいて前記自摸牌候補指定手段の作動を遊技者に選択させるための手段を備えていることを特徴とする請求項１に記載の雀球遊技機。
【発明の詳細な説明】
【技術分野】
【０００１】
本発明は、手牌から不要な図柄を捨てる遊技者の捨て牌操作の回数を極力少なくして、１ゲームのゲーム時間を短縮する改善を施した雀球遊技機に関するものである。
【背景技術】
【０００２】
従来から実用化されている雀球遊技機は、複数種の麻雀牌（以下、牌という）の図柄に対応して複数の入球口が配設された遊技盤と、この遊技盤内に１ゲームに所定の個数の遊技球を発射するための遊技球発射装置と、ゲームの演出画像等を表示するための液晶表示装置等の表示手段と、ゲーム進行を制御する制御装置、等を備えている。そして、遊技者が１ゲームの実施に必要な所定の枚数のメダルをメダル投入口に投入すると、マイクロコンピュータから構成される雀球遊技機の制御装置に搭載されているソフトウエア（以下、プログラムという）は、１ゲームをスタートさせ、遊技者の捨て牌及び自摸牌の操作等に従ってゲームの進行を制御する。
【０００３】
このような雀球遊技機においては、一般にゲームの進行はプログラムの制御により次のように行なわれている。
【０００４】
まず、ゲーム開始時に必要な手牌となる１４個の牌の図柄（配牌）を、乱数発生手段を用いた抽選により決定する。この１４個の配牌された牌の図柄コードは記憶装置の手牌データ記憶領域に記憶するとともに、遊技者の手牌としてその図柄が表示装置に表示される。
【０００５】
次に、この配牌された１４個の牌の図柄が、入賞判定手段により上がり役を完成していないと判定された場合には、遊技者はこの１４個の手牌から不要と判断した１個の牌を、捨て牌スイッチ等を利用して「捨て牌の操作」を行なう。すると、制御装置のプログラムは、記憶装置の手牌データ記憶領域に記憶している手牌データを更新すると共に、この１３個になった手牌の図柄を表示装置に表示する処理を行ない、さらに、１個の遊技球を遊技球発射装置に供給する制御を行なう。
【０００６】
続いて、遊技者は、１個の遊技球を遊技球発射装置から遊技盤内に発射するツモの操作（以下、自摸操作という）を行なう。そして、この発射した遊技球が入球した入球口に対応する牌の図柄が、自摸した牌（自摸牌）として手牌に加えられる。このとき、制御装置のプログラムは、自摸牌の図柄コードを記憶装置の手牌データ記憶領域に追加する処理を行なうとともに、遊技者の現在の手牌となる１４個の図柄を表示装置に更新して表示する処理を行なう。
【０００７】
続いて、制御装置が備えている入賞判定手段は、この自摸操作により１４個になった手牌の図柄の組合せが、予め設定された上がり（和了）役の組合せを完成しているか否かを判定する処理を行なう。そして、手牌が上がり役の組合せを完成していない場合には、遊技者は再び、手牌から不要な１個の牌を選択して捨て牌の操作を行なう。なお、この捨て牌の操作は、表示装置に表示されている手牌の図柄に対応する捨て牌用スイッチボタンを押圧することにより行なわれる。
【０００８】
このようにして、遊技者は、予め設定された規定の個数（例えば、１１個）以内の遊技球を発射させる自摸操作を行なって、１４個になった手牌について予め設定された上がり役の組合せを完成させると、上がり役ごとに予め設定された所定の枚数のメダル（以下、入賞に伴うメダル枚数という）を賞として獲得することができる。
【０００９】
この予め設定された上がり役としては、通常の麻雀遊技とほぼ同一の２０数種の上がり役が設定されている。また、上がり役の組合せを完成させたときに獲得できるメダルの枚数は、上がり難い役ほど多く設定されている。
【００１０】
一方、遊技者が規定個数の遊技球を発射しても上がり役を完成させることができない場合には、制御装置はこのゲームを終了（流局）にする処理を行なう。
【００１１】
また、従来から実用化されている雀球遊技機においては、遊技者が完成した上がり役が１ゲームの開始時に乱数発生手段を用いた抽選により決定された特定の上がり役であると、次の所定のゲーム数について、通常の遊技（通常遊技）と比較して遊技者にとって有利な特別遊技役の権利を獲得したゲームを行なうことができるようになっている。
【００１２】
この特別遊技役（ボーナスゲーム）は、一般に、ビックゲーム役とチャンスゲーム役の２種が設けられている。ビックゲーム役とは、１ゲームごとにビックゲーム役として予め抽選により設定された特定の上がり役（例えば、大三元）で上がると、当該ゲームを含め次回以降の所定回数のゲームについて、遊技者にとって有利なゲームを獲得することができるゲームのことをいう。
【００１３】
ビックゲーム役の権利を獲得したゲームは、遊技盤上の通過口（アタッカー作動口）が有効になり、遊技者が発射した遊技球がこのアタッカー作動口を通過すると、特別入球口（アタッカー）が開口する。そして、このアタッカーに遊技球が入球すると、遊技者は牌選択ボタンの操作等により所望する牌を自摸牌として選択できるようにしたゲームである。そして、遊技者はビックゲームの権利を獲得したゲ−ムについて上がり役を完成させると、次回以降の複数ゲームは、このビックゲーム役の権利が成立した状態でゲームを行なうことができる。
【００１４】
チャンスゲーム役とは、１ゲームごとにチャンスゲーム役として抽選により設定された特定の上がり役で上がると、このゲームで獲得できる得点数（メダル枚数）が通常遊技の上がり役より加算される（例えば、２倍）か、あるいは、次の１ゲームのみ、上記したビッグゲーム役の権利を獲得したゲームを行なうことができるようになっている。従って、遊技者は特別遊技役の権利を獲得すると、より多くのメダルを得ることが可能になる。なお、通常遊技とは、上記ビックゲーム役またはチャンスゲーム役の権利を獲得していないゲームのことをいう。
【００１５】
従来の雀球遊技機において、ビッグゲーム役の権利を獲得することができる上がり役としては、雀球遊技機に設定されている複数種の上がり役のなかから、さらに選定された複数の上がり役、例えば、「大三元」、「九連宝燈」、「国士無双」、「純全帯公」、「清老頭」等の上がり役群から一つの上がり役が、乱数発生手段を用いた抽選により決定されていた。
【００１６】
一方、チャンスゲーム役の権利を獲得することができる上がり役としては、例えば、「一気通貫」、「七対子」、「三暗刻」、「平和」、「一盃口」、「タンヤオ」等の上がり役から二つの上がり役が、乱数発生手段を用いた抽選により決定されていた。
【００１７】
上記した従来の雀球遊技機においては、遊技者が自摸した図柄が不要な牌と判断したときには、表示装置に表示されている手牌に関する図柄から、この自摸した図柄に対応する捨て牌スイッチを操作して捨て牌の操作を行なう必要があった。このような、捨て牌の操作は、雀球遊技機に関して知識が豊富な遊技者にとっては面倒な操作であるとともに、１ゲームのゲーム時間を長くする要因になっていた。
【００１８】
上記した捨て牌操作をプログラム処理により自動化して１ゲーム当りのゲーム時間を短縮する対策を施した雀球遊技機として、下記の特許文献が提案されている。
【００１９】
【特許文献１】特開平７−１６３３２号公報
【特許文献２】特開平７−１６３３３号公報
【００２０】
上記特許文献１には、現在の手牌データについて上がり役判定手段により上がり役がないと判定したときに、この手牌データから上がり役の完成に不要な不要牌を自動的に選択し、自動的に捨て牌とする不要牌切り捨て手段を備えた雀球遊技機が提案されている。
【００２１】
上記特許文献２には、遊技者の手牌データが聴牌の状態になり、遊技者がリーチスイッチを押圧してリーチをかけると、以後の自摸操作により自摸した牌により上がり役を完成することができなかった場合には、この自摸した牌を自動的に切り捨てるようにした雀球遊技機のツモ牌自動切り捨て装置が提案されている。
【発明の開示】
【発明が解決しようとする課題】
【００２２】
特許文献１に記載の発明においては、現在の手牌について、不要牌切り捨て手段が判定した不要牌は自動的に切り捨てられる。従って、１ゲームのゲーム時間を短縮することは可能になるが、雀球遊技機に関して豊富な知識を有する遊技者にとっては、自分なりに上がり役を想定したゲームの進行を行なうことができないという不具合が生じる。
【００２３】
特許文献２に記載の発明においては、手牌が聴牌の状態になって遊技者がリーチをかけた後の自摸操作において、自摸した図柄が上がり役を完成させないときにはこの自摸した図柄が自動的に捨て牌として処理される。従って特許文献２に記載の発明は、遊技者がリーチの操作を行なったときのみ、捨て牌が自動的に処理されるので、１ゲームのゲーム時間を短縮する手段としては不十分である。
【００２４】
そこで、本発明の目的は、遊技者がリーチをかけていないときにおいても、ゲームの進行を速くする手段を備えた雀球遊技機を提供することにある。具体的には、遊技者が自摸操作を行なう前に、この自摸操作により獲得したい図柄を事前に表示画面と対話方式で申告させ、実際の自摸操作により獲得した自摸牌の図柄が事前に申告した図柄と相違するときには、この自摸した図柄を自動的に捨て牌の処理を行なうようにした雀球遊技機を提供することにある。
【課題を解決するための手段】
【００２５】
本発明は、複数種の牌の図柄に対応する入球口が配置された遊技盤と、前記遊技盤に遊技球を順次発射して入球した前記入球口に対応する牌の図柄を自摸操作による自摸牌としてその図柄を、表示手段の手牌を表示する手牌表示部に追加して表示する自摸操作処理手段と、前記手牌表示部に表示された手牌から不要な牌を捨てるための捨て牌操作処理手段とを備え、前記手牌の組合せが予め設定された上がりの組合せを完成させると、上がり役ごとに設定された入賞に伴う枚数のメダルを獲得できる雀球遊技機において、
前記自摸操作を行なう前に、遊技者が希望する自摸牌の図柄を前記遊技者に前記表示手段と対話方式で指定させる自摸牌候補指定手段と、
前記希望する自摸牌の図柄を指定した前記自摸操作により、前記遊技球が入球した入球口に対応する図柄が、前記自摸牌候補指定手段により指定された前記自摸牌の図柄に含まれていないときに、前記自摸操作により自摸牌となった図柄を捨て牌として処理する自摸牌の自動捨て牌処理手段を備えている雀球遊技機である。
【００２６】
さらに、本発明は、前記自摸牌候補指定手段は、前記遊技者が希望する自摸牌を複数個指定させる手段を備えている雀球遊技機である。
【００２７】
さらに、本発明は、前記入球口のそれぞれを明示するために前記遊技盤に配設された発光手段と、
前記自摸牌候補指定手段により指定された前記自摸牌の図柄であって、該指定された図柄に対応する入球口に係る前記発光手段を点灯させる入球口点灯制御手段を備えている雀球遊技機である。
【００２８】
さらに、本発明は、ゲーム開始時に、当該ゲームにおいて前記自摸牌候補指定手段の作動を遊技者に選択させるための手段を備えている雀球遊技機である。
【００２９】
この自摸牌候補指定手段の作動を遊技者に選択させる手段としては、プッシュボタンの押圧操作、あるいは、表示手段に表示した選択画面と対話方式で選択する手段を採用することができる。
【発明の効果】
【００３０】
本発明の雀球遊技機は、次のような効果を有している。
【００３１】
（１）毎回の自摸操作を行なう前に、遊技者に自摸牌として手牌に追加したい所定の個数の図柄を、予め表示手段と対話方式により指定（申告）させるようにしている。そして、自摸操作として発射した遊技球がこの指定した図柄に対応する入球口に入球しなかった場合には、この自摸牌を手牌データに追加することは行なわずに、プログラム処理により自動的に捨て牌の処理を行なうようにしている。これにより、本発明は、毎回の自摸操作後に行なう遊技者の捨て牌の操作において、捨て牌操作手段となる捨て牌用ボタンスイッチの何れかを押圧する回数が少なくなるので、１ゲームに要するゲーム時間をより短縮することが可能な雀球遊技機を提供することができる。
【００３２】
（２）上記（１）に記載したように、本発明は、遊技者に自摸牌として手牌に追加したい所定の個数の図柄を、予め表示手段と対話方式により指定させる手段を採用している。これにより、特に麻雀知識に豊富な遊技者は、ゲーム開始時に配牌された１４個の図柄の状況とその後の自摸操作により手牌に追加した図柄に基づいて、当該ゲームの上がり役を想定し、かつ、この上がり役を完成させるための自摸牌を考慮しながらゲームを進行させることが可能になる。従って、本発明は、麻雀知識が豊富な遊技者にとっても、ゲーム進行の興趣を高くした雀球遊技機を提供することが可能になる。
【発明を実施するための最良の形態】
【００３３】
（雀球遊技機の構成）
続いて、本発明を実施するための雀球遊技機の構成について説明する。本発明の雀球遊技機は、従来から提案されている雀球遊技機と同じように、２７種の牌の図柄を各４個、計１０８個の牌を用いてゲームを行なうようにした遊技機である。この２７種の牌の図柄は、萬子が「一萬」〜「九萬」の９種、筒子が「一筒」〜「九筒」の９種、索子が「一索」と「九索」の２種、字牌が「東」「南」「西」「北」「白」「發」「中」の７種としている。従って、萬子と筒子と索子が数牌となるが、索子は「一索」と「九索」のみ設けているので、「順子」を形成することができない牌種、すなわち、字牌と同じ牌種とみなすことができる。
【００３４】
なお、上記した２種の数牌は、例えば、萬子を「一萬」〜「九萬」の９種の図柄、索子を「一索」〜「九索」の９種の図柄から構成し、筒子を「一筒」と「九筒」、字牌を「東」「南」「西」「北」「白」「發」「中」の７種から構成される牌の図柄を有する雀球遊技機としてもよい。また、本発明の雀球遊技機は、３種の数牌（萬子、筒子、索子）と字牌の計４種類の牌種、すなわち、３４種の図柄からなら構成され、計１３６個の図柄を使用する雀球遊技機として実施することも可能である。
【００３５】
まず、本発明の雀球遊技機について、筐体の前面部の構成について説明する。図１は、本発明の一実施形態を示す雀球遊技機において、その筐体の前面部の構成を示す正面図である。図１に示すように、雀球遊技機１の前面部は、基本的には遊技盤２、操作パネル３、操作パネル３の下方に設けられた遊技球発射レバー４、メダル受け皿５、スピーカー６から音声や効果音を出力する音声出力口７、ランプ装置８、ガイドレール９、等から構成されている。
【００３６】
遊技盤２の構成は図２に示すように、ガイドレール９に囲まれた遊技盤２の中央には、表示手段となる液晶表示装置から構成される第１の表示装置１０、表示装置１０の上方には特別入賞装置（以下、アタッカーという）１１、アタッカー１１の右側には遊技球が通過可能なアタッカー作動口１２が配設されている。また、アタッカー１１の斜め上方には、入球口１３ａと１３ｂが配置されている。さらに、遊技盤面部２の下方部２ａには、図３に示すように、横方向に２５個の入球口１３ｃ、１３ｄ、・・・が配置されている。
【００３７】
各入球口には、牌の図柄が表示されている。これら２７個の入球口１３ａ、１３ｂ、・・・の配置は、例えば、アタッカー１１の斜め左上には「一索」の入球口１３ａ、同じく斜め右上には「九索」の入球口１３ｂが配置されている。さらに、表示装置１０の下側であって遊技盤面部２の下方部２ａには、図３に示すように、横方向に、最左端には「東」の入球口１３ｃ、続いて「南」の入球口１３ｄ、「一萬」の入球口１３ｅ、・・・、最右端には「北」の入球口が配置されている。
【００３８】
遊技盤２には、さらに、ランプ付き飾り装置１４、風車１５、等が設けられている。ランプ装置８、ランプ付き飾り装置１４に用いる発光体は、種々のカラー色を発光するＬＥＤを使用する。なお、遊技盤２には、発射された遊技球の動きを案内するために多数本の釘が配設されているが、図２にはこれらの釘は図示していない。さらに、遊技盤２の上方部には、ドット表示等から構成される表示装置３６が設けられている。
【００３９】
図２および図３に示すように、２７個の入球口１３ａ、１３ｂ、１３ｃ、・・・のそれぞれの近傍であって遊技盤面部２内には、ＬＥＤ（Light Emitting Diode）等からなる発光手段Ｌ１、Ｌ２、Ｌ３、・・・、Ｌ２７が配設されている。これら発光手段Ｌ１、・・・等は、遊技者が自摸操作を行なう前に、自摸牌として手牌に追加することを希望（指定）した図柄に対応する入球口を、明示するために用いられる。なお、ＬＥＤを点灯したときには赤色または緑色等のカラー色を発光させ、さらに、入球口に表示している図柄の名称（例えば、「一萬」）も赤色または緑色等のカラー色で明示させるようにするとよい。これにより、遊技者は、自摸操作を行なう前に自分が予め指定した自摸すべき牌に対応する入球口を認識することが可能になる。
【００４０】
操作パネル３には、図４に示すように、表示手段となる液晶表示装置から構成される第２の表示装置１６、メダル投入口１７、各種の操作ボタン（ボタンスイッチ）が設けられている。この各種の操作ボタンは、ゲーム開始（ＢＥＴ）ボタン１８、１３個の手牌の図柄に対応してボタンが横方向に配設され、捨て牌の操作を行なうための捨て牌用ボタンスイッチ１９ａ、１９ｂ、・・・、１９ｍ、自摸した牌を捨て牌とする操作を行なうための自摸捨て牌用ボタンスイッチ２０、手牌が聴牌したときにリーチをかけるための手段（リーチ操作入力手段）となるリーチボタン２１、左右のシフトボタン２２ａと２２ｂ、上下のシフトボタン２２ｃと２２ｄ、選択決定ボタン２３、遊技終了ボタン２４、メダル払出しボタン２５、等から構成されている。
【００４１】
なお、捨て牌用ボタンスイッチ１９ａ、１９ｂ、・・・、１９ｍ、自摸捨て牌用ボタンスイッチ２０は、手牌から不要な牌を選択して捨てる操作を行なう手段になり、その下部にはそれぞれのボタン名を示す「Ａ」、「Ｂ」、「Ｃ」、・・・、「Ｎ」が表示されている。
【００４２】
遊技者が上記した各種のボタンを操作する（押圧してスイッチ接点をＯＮする）と、例えば、捨て牌用ボタン１９ａを押圧すると捨て牌信号が発生し、この信号がマイクロコンピュータから構成される制御基板に入力される。そして、制御基板のＲＯＭに搭載されているソフトウエア（以下、プログラムという）は、入力された信号を解析し、この解析した入力信号に対応する処理を実行することによりゲームが進行する。
【００４３】
第１の表示装置１０および第２の表示装置１６は、遊技者に対してゲームの進行に応じて必要な情報、および演出用画像を表示するために使用される。
【００４４】
第２の表示装置１６は、主として、遊技者が雀球遊技機に貯留している現在のメダル枚数、１ゲームの実施中における遊技球の残り個数、遊技者の手牌を構成する牌の図柄、遊技者が捨て牌として捨てた牌の図柄、等を表示する手段として使用される。
【００４５】
図５は、第２の表示装置１６に各種の画像や情報を表示したときの表示例を示している。図５に示すように、表示装置１６の表示面の上部横方向には、メダル貯留枚数表示部２６、遊技球の残り個数を表示する遊技球の残り遊技球個数表示部２７、表ドラの図柄を表示する表ドラ表示部２８、裏ドラの図柄を表示する裏ドラ表示部２９、演出表示部３０、捨て牌の図柄を表示する捨て牌表示部３３が設けられている。なお、遊技者がリーチボタン２１を押圧してリーチをかけると、裏ドラの図柄が裏ドラ表示部２９に表示される。
【００４６】
演出表示部３０に上部には、当該ゲームにおいて抽選により決定された特別遊技役であるビッグゲーム役の権利を獲得することができる上がり役を表示する領域３１と、チャンスゲーム役の権利を獲得することができる上がり役を表示する領域３２ａ、３２ｂが設けられている。
【００４７】
捨て牌表示部３３には、遊技者が現在までに手牌から捨て牌とした図柄が捨て牌を行なった順に表示される。また、遊技者がリーチボタン２１を操作してリーチをかけたときに捨て牌とした図柄は横向きに表示される。
【００４８】
第２の表示装置１６の下部横方向には、１３個の手牌の図柄を表示する手牌表示部３４、自摸操作により自摸した牌の図柄を表示する自摸牌表示部３５が設けられている。なお、手牌表示部３４および自摸牌表示部３５に表示する各図柄の下部には、手牌から不要な捨て牌を決定する捨て牌操作手段となる捨て牌用ボタンスイッチ１９ａ、１９ｂ、・・・、１９ｍ、２０と対応するボタン名（Ａ、Ｂ、Ｃ、Ｄ、Ｅ、・・・、Ｍ、Ｎ）が表示されている。手牌表示部３４に表示される牌の図柄は、所定の順序、例えば、後記する牌の図柄コードの順に、カラーで表示される。そして、表示装置１６の各表示部は、ゲームの進行に応じて牌の図柄、演出画像、数値等がプログラム処理により更新して表示される。
【００４９】
第１の表示装置１０は、主に、遊技者が毎回の自摸操作を行なうときに、前もって自摸したい牌の図柄を、表示装置１０に表示された牌の牌種と図柄を左右のシフトボタン２２ａと２２ｂ等を操作して対話方式により指定するために使用される。図６（ａ）、図６（ｂ）は、表示装置１０に表示した画面例を示している。
【００５０】
雀球遊技機１の筐体内部の所定位置には、本発明の雀球遊技機１の動作を制御するための制御基板が搭載されている。この制御基板は、例えば、図７に示すように、メイン制御基板Ｋａ、サブ制御基板Ｋｂ、第１の画像制御基板Ｋｃ、第２の画像制御基板Ｋｄから構成されている。これら制御基板Ｋａ、Ｋｂ、ＫｃおよびＫｄは、それぞれマイクロプロセッサであるＣＰＵ４０ａ、４０ｂ、４０ｃ、４０ｄ、記憶装置（ＲＯＭ）であるＲＯＭ４１ａ、４１ｂ、４１ｃ、４１ｄ、同じく記憶装置（ＲＡＭ）であるＲＡＭ４２ａ、４２ｂ、４２ｃ、４２ｄ、入出力インターフェイス（Ｉ／Ｆ）回路４３ａ、４３ｂ、４３ｃ、４３ｄ、通信用インターフェイス（Ｉ／Ｆ）回路４４ａ、４４ｂ、４４ｃ、４４ｄ等を備えたマイクロコンピュータから構成されている。
【００５１】
メイン制御基板Ｋａとサブ制御基板Ｋｂ、サブ制御基板Ｋｂと第１の画像制御基板Ｋｃ、およびサブ制御基板Ｋｂと第２の画像制御基板Ｋｄとは、ケーブル線Ｔ１、Ｔ２、Ｔ３により接続されてデータ通信が可能になっている。これにより、メイン制御基板Ｋａから第１の画像制御基板Ｋｃまたは第２の画像制御基板Ｋｄにデータを送信する場合には、サブ制御基板Ｋｂを経由してデータが送信されることになる。なお、各制御基板のＲＡＭ４２ａ〜４２ｄは、雀球遊技機１の電源がＯＦＦされたときにもその記憶内容が保持されるようにすることが望ましい。
【００５２】
メイン制御基板Ｋａに搭載されている入出力インターフェイス回路４３ａには、ゲームを実施するときに遊技者がメダル投入口１７に投入したメダルを検出するメダル投入センサ１７ａ、各入球口１３ａ、・・・等に入球した遊技球を検出するための入球センサ、捨て牌用ボタンスイッチ１９ａ、・・・、および各種のボタンスイッチ等が接続され、その入力信号がメイン制御基板Ｋａに入力されるようになっている。さらに、入出力インターフェイス回路４３ａには、遊技者にメダルを払い出すためのメダル払出装置、遊技球を発射装置に送るための遊技球送り装置、アタッカー１１の開閉を制御するアタッカー開閉装置等が接続され、プログラムの制御によりこれらの装置に制御信号が出力されるようになっている。また、入出力インターフェイス回路４３ａには、表示装置３６が接続されている。
【００５３】
サブ制御基板Ｋｂに搭載されている入出力Ｉ／Ｆ回路４３ｂには、ランプ８、１４、および、ＬＥＤからなる発光手段Ｌ１、Ｌ２、・・・、Ｌ２７が接続されている。第１の画像制御基板Ｋｃの入出力Ｉ／Ｆ回路４３ｃには、第1の表示装置１０が接続され、第２の画像制御基板Ｋｄの入出力Ｉ／Ｆ回路４３ｄには、第２の表示装置１６、スピーカー６が接続されている。
【００５４】
雀球遊技機１の動作を制御するプログラムは、各制御基板Ｋａ、Ｋｂ、Ｋｃ、ＫｄのＲＯＭ４１ａ〜４１ｄに記憶（搭載）されている。また、各ＲＡＭ４２ａ〜４２ｄは、これらプログラムが作動するときに各種のデータの記憶、読み込みやデータの作成、計算等を行なうための記憶領域（ワークエリア）として使用される。なお、ＣＰＵ４０ａ〜４０ｄとしては、各制御基板Ｋａ、Ｋｂ、Ｋｃ、Ｋｄに要求される機能を適切に処理することができるように、８ビット、１６ビットあるいは３２ビットのＣＰＵの何れかを採用するようにする。上記した各制御基板Ｋａ、Ｋｂ、Ｋｃ、ＫｄとＲＯＭ４１ａ〜４１ｄに記憶されているプログラムは、本発明の雀球遊技機の動作を制御する手段になる。
【００５５】
（メイン制御基板Ｋａ搭載のプログラム）
続いて、メイン制御基板Ｋａに搭載されているプログラムの構成について説明する。メイン制御基板ＫａのＲＯＭ４１ａには、雀球遊技機１のゲームの進行を統括して制御するための各種のプログラムが記憶されている。
【００５６】
メイン制御基板ＫａのＲＯＭ４１ａに搭載されているプログラムは、例えば、図８に示すように、メイン制御プログラムＰ１、メダル管理プログラムＰ２、遊技球管理プログラムＰ３、自動配牌プログラムＰ４、特別遊技役抽選プログラムＰ５、自摸牌候補指定支援プログラムＰ６、ドラ抽選プログラムＰ７、入賞判定プログラムＰ８、メダル払出制御プログラムＰ９、特別遊技役ゲームの自摸牌選択支援プログラムＰ１０、ゲーム履歴データ記録プログラムＰ１１、加算メダル枚数算出プログラムＰ１２、等から構成されている。
【００５７】
これらのプログラムのうち、メイン制御プログラムＰ１は、雀球遊技機１の動作を統括して制御するメインプログラムであり、さらにサブプログラムとして入力信号解析プログラムＰ１ａ、通信制御プログラムＰ１ｂ、遊技球残り個数カウントプログラムＰ１ｃ、自摸回数カウントプログラムＰ１ｄ、自摸操作処理プログラムＰ１ｅ、捨て牌操作処理プログラムＰ１ｆ、等を備えている。
【００５８】
入力信号解析プログラムＰ１ａは、ゲーム開始ボタン１８、捨て牌用ボタンスイッチ１９ａ、・・・等、リーチボタン２１、左右のシフトボタン２２ａ、２２ｂ、上下のシフトボタン２２ｃ、２２ｄ、選択決定ボタン２３、遊技終了ボタン２４、メダル払出しボタン２５等から操作信号がメイン制御基板Ｋａに入力されたときに、これらの入力信号を解析する処理を行なうためのプログラムである。
【００５９】
また、通信制御プログラムＰ１ｂは、サブ制御基板Ｋｂとの通信を行なうためのプログラムである。この通信においては、送信するデータは如何なる処理を行なうかを予め設定した制御コマンドと、この制御コマンドと共に送信される制御データ等から構成されるデータが、通信データとして送信される。なお、メイン制御基板Ｋａが第１の画像制御基板Ｋｃ、および第２の画像制御基板Ｋｄにデータを送信するときは、サブ制御基板Ｋｂを経由して送信される。
【００６０】
前記したように、遊技者は、１ゲームに付き規定個数（例えば、１１個）の遊技球を遊技球発射レバー４から自摸操作として発射することが可能である。遊技球残り個数カウントプログラムＰ１ｃは、この規定個数の遊技球の残り個数をカウントしてＲＡＭ４２ａに記憶する処理を行なうプログラムである。なお、遊技球残り個数カウントプログラムＰ１ｃは、遊技者が発射した遊技球が入球口１３ａ、１３ｂ、等への入球信号に基づいて遊技球の残り個数を「−１」する処理を行なう。
【００６１】
自摸回数カウントプログラムＰ１ｄは、ゲーム開始後に遊技者が行なった自摸回数、すなわち、遊技者が遊技球発射レバー４を操作して遊技球を発射した回数をカウントしてＲＡＭ４２ａに記憶する処理を行なうプログラムである。自摸回数カウントプログラムＰ１ｄは、遊技者が発射した遊技球が入球口１３ａ、１３ｂ、等への入球信号に基づいて自摸回数を「＋１」する処理を行なう。
【００６２】
自摸操作処理プログラムＰ１ｅは、手牌の数が１３個のときに遊技者が行なった自摸操作に対して、自摸操作により遊技球が入球した入球口に対応する図柄（自摸牌）の図柄コードを判定する処理と、この判定した図柄コードをＲＡＭ４２ａに記憶している手牌データ記憶領域に自摸牌として追加する処理を行なう。
【００６３】
上記した自摸牌の図柄コードを手牌データに追加する処理において、本発明の雀球遊技機は、自摸操作処理プログラムＰ１ｅのサブプログラムである自摸牌の自動捨て処理判定プログラムＰ１ｅ−１により、次のような処理を行なっていることに特徴がある。
【００６４】
（１）前記したように、遊技者が毎回の自摸操作を行なうときに、前もって自摸したい牌の図柄を１個または複数個、表示装置１０に表示された牌の牌種と図柄を左右のシフトボタン２２ａと２２ｂ等を操作して対話方式により指定する手段を備えている。そして、自摸牌自動捨て処理判定プログラムＰ１ｅ−１は、遊技者が自摸操作を行なって入球した入球口に対応する図柄が、自摸操作を行なう前に指定した図柄に含まれているか否かを判定する処理を行なう。
【００６５】
（２）上記（１）の判定処理の結果、遊技者が自摸操作した図柄が、予め自摸牌として指定した図柄に含まれている場合には、この自摸牌の図柄コードをＲＡＭ４２ａの手牌データ記憶領域に自摸牌として追加する処理を行なう。一方、予め自摸牌として指定した図柄に含まれていない場合には、この自摸牌の図柄コードを手牌データ記憶領域に追加する処理は行なわずに、ＲＡＭ４２ａに設定した自摸捨て牌フラグに「１」を記憶する処理を行なう。
【００６６】
上記した自摸捨て牌フラグは、自摸牌の捨て牌用ボタンスイッチ２０の操作を行なわなくても、遊技者が自摸した牌を、プログラム処理により自動的に捨て牌の処理を行なうか否かを判定するために設定したフラグである。これにより、本発明の雀球遊技機は、自摸牌の捨て牌用ボタンスイッチ２０を操作する回数が減少されるので、１ゲームの進行が速くなるという効果が生じる。
【００６７】
捨て牌操作処理プログラムＰ１ｆは、配牌および自摸操作により手牌の図柄数が１４個になり、この手牌が上がりを完成しなかったときに、手牌データのなかから遊技者が捨て牌用ボタンスイッチ１９ａ、・・等の操作で指定した不要な１個の図柄を、捨て牌として捨てる処理を行なうためのプログラムである。上記したように、この捨て牌操作処理プログラムＰ１ｆは、配牌の手牌が上がりを完成していないとき、および、遊技者が自摸した後であって自摸捨て牌フラグに「０」が記憶されているときに実行される。
【００６８】
なお、遊技者の捨て牌の操作は、表示装置１６の手牌表示部３４に表示されている手牌の図柄に対応する捨て牌用ボタンスイッチ１９ａ、１９ｂ、・・・、１９ｍ、２０の何れかを押圧する。そして、この捨て牌用ボタンスイッチからの捨て牌信号に基いて、捨て牌操作処理プログラムＰ１ｆは、ＲＡＭ４２ａに記憶している手牌データ記憶領域から捨て牌とされた図柄コードを削除する処理を行なう。
【００６９】
メダル管理プログラムＰ２は、遊技者がメダル投入口１７に投入したメダルの枚数をメダル投入センサ１７ａからの信号に基づいてカウントする処理、遊技終了ボタン２４からの入力信号、メダル払い出しボタン２５からの入力信号等を検出したときに、メダルの貯留枚数の更新等を行なうプログラムである。
【００７０】
遊技球管理プログラムＰ３は、ゲーム開始時と、捨て牌ボタンスイッチ１９ａ、・・・等から捨て牌の操作信号がメイン制御基板Ｋａに入力されたときに、メイン制御プログラムＰ１により作動されるプログラムであって、遊技球送り装置を制御して、遊技球発射位置（図１には図示せず）に遊技球を１球送る処理を行なう。これにより、遊技者は、遊技球発射レバー４を操作して遊技球の発射、すなわち、自摸操作を行なうことが可能になる。
【００７１】
自動配牌プログラムＰ４は、１ゲームの開始時に遊技者の手牌となる１４個の配牌の図柄コードを、ランダムに自動的に決定する処理を行なうためのプログラムである。この自動配牌プログラムＰ４は、乱数発生手段により発生した乱数を利用して、本雀球遊技機１で使用する２７種、計１０８個の牌から、１４個の配牌の図柄コードを決定する処理を行なう。
【００７２】
本発明の雀球遊技機１で使用するこの２７種の各牌には、図９に示すように、例えば、「一萬」〜「中」の２７種の牌に図柄コードが設定され、さらに、各図柄コードには４個の数値が割り付けられている。この図９に示す牌の図柄コードテーブルは、予めＲＯＭ４１ａに登録されている。自動配牌プログラムＰ４は、上記した乱数発生手段が発生した乱数を利用してこの各図柄コードに割り付けられた数値（０〜１０７）をランダムに選択することにより、１４個の配牌の図柄コードを決定する処理を行なう。
【００７３】
特別遊技役抽選プログラムＰ５は、図１０に示す上がり役の中から選定された複数種の上がり役について、１ゲームごとに、特別遊技役の権利を獲得することができる上がり役を、乱数発生手段が発生した乱数を利用した抽選により決定する処理を行なうプログラムである。特別遊技役抽選プログラムＰ５は、ビッグゲーム役の権利を獲得することができる上がり役を抽選により決定するビッグゲーム役抽選プログラムＰ５ａと、チャンスゲーム役の権利を獲得することができる上がり役を抽選により決定するチャンスゲーム役抽選プログラムＰ５ｂを備えている。
【００７４】
図１０に示す上がり役別入賞メダル枚数テーブルは、上がり役のコードごとに、この上がり役を完成させたときに遊技者が獲得できる入賞に伴うメダル枚数（ｍ１）を設定したデータテーブルであって、予めＲＯＭ４１ａに記憶されている。上がり役ごとに獲得できるメダルの枚数（ｍ１）は、「国士無双」等の最も上がることが困難な上がり役は３０枚、「小三元」等は９枚、「一気通貫」等は６枚、上がり役のうち最も上がり易い「七対子」、「断公九」等は、獲得メダル枚数が最も少ない３枚に設定している。
【００７５】
ビッグゲーム役抽選プログラムＰ５ａは、ビッグゲーム役の権利を獲得できる上がり役として予め選定された上がり役群、例えば、「国士無双」、「大三元」、「九連宝燈」、「純全帯公」、「清老頭」のなかから一つの上がり役を、当該ゲームのビッグゲーム役の権利を獲得することができる上がり役として乱数発生手段が発生した乱数を利用した抽選により決定する。そして、抽選により決定したビッグゲーム役の権利を獲得できる上がり役のコードはＲＡＭ４２ａに記憶する。      
【００７６】
チャンスゲーム役抽選プログラムＰ５ｂは、当該ゲームにおいてチャンスゲーム役の権利を獲得できる上がり役として予め選定された上がり役群、例えば、「一気通貫」、「七対子」、「三暗刻」、「平和」、「一盃口」、「タンヤオ」の上がり役群から２種の上がり役を抽選により決定する。そして、抽選により決定したチャンスゲーム役の権利を獲得できる上がり役のコードはＲＡＭ４２ａに記憶する。
【００７７】
これら抽選により決定された特別遊技役の権利を獲得できる上がり役のコードは、サブ制御基板Ｋｂを経由して第２の画像制御基板Ｋｄに送信されて、前記したように、当該ゲームにおいて特別遊技役の権利が獲得できる上がり役として第２の表示装置１６のビッグゲーム役表示部３１、チャンスゲーム役表示部３２ａ、３２ｂに表示される。
【００７８】
自摸牌候補指定支援プログラムＰ６は、遊技者が自摸操作を行なう前に、現在の手牌に自摸牌として追加したい図柄を、第１の表示装置１０と対話方式により、右シフトボタン２２ａ、左シフトボタン２２ｂ、選択決定ボタン２３の操作に基づいて遊技者に指定（申告）させる処理を支援するプログラムである。なお、この自摸牌を指定する対話式画面（図６（ａ）、図６（ｂ）参照）の表示は、第１の画像制御基板Ｋｃに搭載されている後記の自摸牌候補指定画面表示プログラムＰ３２ａ−３により実行される。自摸牌候補指定支援プログラムＰ６、自摸牌候補指定画面表示プログラムＰ３２ａ−３、右シフトボタン２２ａ、左シフトボタン２２ｂ、選択決定ボタン２３等は、本発明の特徴となる自摸牌候補指定手段を構成する。
【００７９】
自摸牌候補指定支援プログラムＰ６により、遊技者が自摸牌の候補として指定できる図柄の個数は、１個ではなくて複数個指定できるようにすることが望ましい。この理由は、手牌に両面待ち、あるいはシャンポン待ちになっている図柄の組合せが存在する場合があるからである。従って、本発明においては、この自摸牌の指定個数は、少なくとも２個指定可能に、望ましくは、２〜３個が指定できるように、予め指定可能な個数を設定しておくようにする。
【００８０】
ドラ抽選プログラムＰ７は、ドラ牌による得点増加手段の対象となる表ドラと裏ドラを決定するためのプログラムであって、表ドラと裏ドラ各１個の図柄コードを、乱数発生手段を用いた抽選により決定する処理を行なう。
【００８１】
ドラ抽選プログラムＰ７は、ゲーム開始時に作動して表ドラと裏ドラの図柄コードを決定してＲＡＭ４２ａに記憶する。そして、メイン制御プログラムＰ１は、この決定した表ドラの図柄コードは直ちにサブ制御基板Ｋｂを経由して第２の画像制御基板Ｋｄに送信する処理を行なう。一方、裏ドラの図柄コードは、例えば、遊技者の手牌が聴牌の状態になって、遊技者がリーチボタン２１を押圧してリーチをかけたときに、メイン制御プログラムＰ１の制御により、サブ制御基板Ｋｂを経由して第２の画像制御基板Ｋｄに送信される。これら表ドラの図柄コードと裏ドラの図柄コードに対応する図柄は、それぞれ第２の表示装置１６の表ドラ表示部２８と裏ドラ表示部２９に表示される。
【００８２】
入賞判定プログラムＰ８は、手牌データが上がりの組合せを完成させたか否かの判定等に関する処理を統括して行なうためのプログラムである。入賞判定プログラムＰ８は、サブプログラムとして上がり判定プログラムＰ８ａ、上がり役判定プログラムＰ８ｂ、メダル枚数判定プログラムＰ８ｃ、特別遊技役獲得判定プログラムＰ８ｄ、等を備えている。
【００８３】
上がり判定プログラムＰ８ａは、遊技者の手牌データが１４個になったときに、この１４個の手牌を構成する図柄コードの組合せが上がりの組合せを完成しているか否かを判定するプログラムである。この上がり判定プログラムＰ８ａは、ゲーム開始時に自動配牌プログラムＰ４が１４個の配牌を決定したとき、および遊技者が自摸操作を行なって手牌が１４個になったときに、メイン制御プログラムＰ１の制御に従って実行される。
【００８４】
上がり判定プログラムＰ８ａが、ＲＡＭ４２ａに記憶している遊技者の１４個の手牌データが上がりの組合せを完成しているか否かの判定は、例えば、次の（手順１）〜（手順４）により行なうことができる。
【００８５】
（上がりの判定）
（手順１）
図１０に示す上がり役は、「国士無双」と「七対子」のように特殊な図柄の組合せからなる上がり役と、計４組の「刻子」や「順子」と１組の「雀頭（対子）」の組合せからなる「一般上がり役」から構成されている。従って、まず、「国士無双」または「七対子」で上がっているか否かを判定する処理を行なう。そして、「国士無双」または「七対子」で上がっていない場合には、「一般上がり役」で上がっているか否かを判定する。
【００８６】
（手順２）
手牌データが「国士無双」で上がっているか否かを判定するプログラム処理は、ＲＡＭ４２ａに記憶している１４個の手牌データである図柄コードについて、数牌の「一」と「九」、字牌の全ての図柄コードを１個ずつ有し、そのうち１種の図柄コードが「雀頭」を構成しているかを判定することにより可能となる。「国士無双」で上がっていると判定された場合には、「国士無双」の上がり役コードをＲＡＭ４２ａに記憶する。
【００８７】
（手順３）
手牌データが「七対子」で上がっているか否かの判定は、ＲＡＭ４２ａに記憶している１４個の手牌データである図柄コードについて、「対子」の組合せが７組完成し、かつ、この７組の「対子」の組合せのなかに同一の図柄コードの組合せがないか否か（同一の図柄コードが４個）を判定することにより可能となる。「七対子」で上がっていると判定された場合には、「七対子」の上がり役コードをＲＡＭ４２ａに記憶する。
【００８８】
（手順４）
手牌データが「一般上がり役」で上がっているか否かの判定は、次の（１）〜（４）に記載の処理を行なうことにより可能である。
【００８９】
（１）手牌データに「対子」の組合せが含まれているか否かを判定する。このとき、複数の「対子」の組合せが含まれている可能性があるので、「対子」の全ての組合せを判定し、その図柄をＲＡＭ４２ａに記憶する。
【００９０】
（２）ＲＡＭ４２ａに記憶している１４個の手牌データから、上記（１）で求めた１組の「対子」の組合せを構成する図柄コードを削除する。
【００９１】
（３）上記（２）で求めた残りの手牌データについて、「刻子」や「順子」を構成する図柄コードの組合せが計４組含まれていると、現在の遊技者の手牌データは、上がりの組合せを完成していると判定することができる。
【００９２】
（４）上記（３）の処理において、上がりの組合せを完成していると判定できず、かつ、他の「対子」の組合せが含まれているときには、この他の「対子」の組合せについても上記（２）〜（３）の処理を行なう。
【００９３】
上がり役判定プログラムＰ８ｂは、上記した上がり判定プログラムＰ８ｂが上がりと判定した手牌データについて、如何なる上がり役を完成させているかを判定する処理を行なうプログラムである。この判定処理は、次の（手順５）〜（手順７）により行なうことができる。なお、「国士無双」を除いた「七対子」と「一般上がり役」は、上がりを完成した手牌データの組合せにより、他の上がり役と複合した上がり役を完成している可能性もあるので、上がり役判定プログラムＰ８ｂは、複合する上がり役も完成しているか否かの判定も行なう。
【００９４】
（上がり役の判定）
（手順５）
「国士無双」には複合する上がり役は存在しないので、上記した（手順２）で「国士無双」で上がっていると判定されると、上がり役判定プログラムＰ８ｂは、「七対子」と「一般上がり役」についてその上がり役を判定する必要はない。
【００９５】
（手順６）
「七対子」は、複合する上がり役として「タンヤオ」、「混一色」、「清一色」、「混老頭」、「字一色」の可能性がある。従って、上がり役判定プログラムＰ８ｂ−１のサブプログラムとして、または、上記した（手順３）の処理を行なう七対子上がり判定プログラムのなかに、「七対子」と複合する可能性がある上がり役である「タンヤオ」、「混一色」、「清一色」、「混老頭」、「字一色」を完成しているか否かを判定するプログラムを備えることにより、「七対子」と複合する上がり役を判定することができる。この判定処理により求めた上がり役のコードおよびその複合する上がり役のコードはＲＡＭ４２ａに記憶する。
【００９６】
（手順７）
「一般上がり役」について、複合する上がり役を含む上がり役の判定は、次のようにして行なうことができる。
【００９７】
（１）図１０に示す予め設定されている上がり役のなかの各一般上がり役について、予め、現在の１４個の手牌データがこの上がり役の組合せを完成しているか否かを判定するプログラムを作成しておく。この各上がり役を判定するプログラムには、上がり役ごとにこの上がり役の特徴となる「刻子」、「順子」、「対子」を構成する図柄コードの組合せデータおよびその他の判定ロジックを、プログラム内に取り込むようにする。
【００９８】
例えば、手牌データが「大三元」で上がっているかを判定する大三元判定プログラムは、手牌データに、「刻子」となる「白白白」、「發發發」および「中中中」の図柄コードの組合せの全てが含まれているか否かを判定する処理を行なうようにする。
【００９９】
（２）また、手牌データが「タンヤオ」で上がっているかを判定するプログラムは、上がりの組合せを完成させた手牌データは数牌の「二」〜「八」の図柄の組合せからなる「雀頭」と「刻子」や「順子」から構成されているか否かを判定する処理を行なうようにする。
【０１００】
上がり役判定プログラムＰ８ｂは、上記した（手順６）、（手順７）に記載の処理を行なうことにより、「七対子」または「一般上がり役」を完成した手牌データについて、その複合する上がり役（上がり役コード）を判定することができる。
【０１０１】
上記した処理により、上がりを完成した手牌データについてその上がり役が判定されると、この判定された全ての上がり役のコードをＲＡＭ４２ａに記憶する。
【０１０２】
メダル枚数判定プログラムＰ８ｃは、遊技者が完成させた上がり役による上がりについて、遊技者が獲得できるメダル枚数を前記した図１０に示す上がり役別入賞メダル枚数テーブルを参照して入賞に伴うメダル枚数ｍ１を求める処理を行なうプログラムである。この処理は、上がり役判定プログラムＰ８ｂが判定してＲＡＭ４２ａに記憶した上がり役コードの全てについて、上がり役別入賞メダル枚数テーブルを参照して、完成した複合上がり役も含め全ての上がり役に対する入賞に伴うメダル枚数ｍ１を求めるようにする。そして、メダル枚数判定プログラムＰ８ｃは、入賞に伴うメダル枚数ｍ１の合計メダル枚数Ｍ１を求める処理を行なう。
【０１０３】
なお、遊技者が上がり役を完成したときに獲得できるメダル枚数は、ドラ牌による増加枚数も含め、ゲーム当り、例えば、最高３０枚になるように上限枚数が設定されている。
【０１０４】
特別遊技役獲得判定プログラムＰ８ｄは、遊技者が完成した上がり役が特別遊技役の権利を獲得できる上がり役であるか否かを判定するプログラムであって、図８には示していないが、サブプログラムとしてビッグゲーム役の権利を獲得できたか否かを判定するビッグゲーム役獲得判定プログラムと、チャンスゲーム役の権利を獲得できたか否かを判定するチャンスゲーム役獲得判定プログラムを備えている。
【０１０５】
そして、特別遊技役獲得判定プログラムＰ８ｄは、最初に、ビッグゲーム役獲得判定プログラムを作動させる。その結果、ビグゲーム役の権利を獲得できていないと判定されると、チャンスゲーム役獲得判定プログラムを作動させて当該ゲームの上がり役がチャンスゲーム役の権利を獲得したか否かの判定を行なうように制御する。
【０１０６】
遊技者が完成した上がり役が、ビッグゲーム役、あるいはチャンスゲーム役の権利を獲得できたか否かを判定する処理は、ＲＡＭ４２ａに記憶している当該ゲームにおけるビッグゲーム役、あるいはチャンスゲーム役の権利を獲得できる上がり役のコードが、上記した上がり役判定プログラムＰ８ｂ等が判定してＲＡＭ４２ａに記憶した上がり役コードに含まれているか否かを判定することにより可能となる。
【０１０７】
特別遊技役獲得判定プログラムＰ８ｄにより、遊技者の上がり役がビッグゲーム役の権利を獲得できる上がり役であると判定されると、ＲＡＭ４２ａに設定した特別遊技フラグに、例えば、「１」を記憶する。また、チャンスゲーム役獲得判定プログラムによりチャンスゲーム役の権利を獲得できる上がり役であると判定されると、特別遊技フラグに「２」を記憶する。また、ビッグゲーム役、またはチャンスゲーム役の権利を獲得できる上がり役でないと判定された場合には、この特別遊技フラグには「０」を記憶する処理を行なう。
【０１０８】
メダル払出制御プログラムＰ９は、遊技者が上がり役を完成させたときに、雀球遊技機の内部に設置されているメダル貯留ホッパーのメダル払出装置を制御して、入賞に伴うメダル枚数（Ｍ１）と、後記する加算メダル枚数算出プログラムＰ１２が求めた増加メダル枚数（Ｍ２）を払い出す処理を行なうためのプログラムである。
【０１０９】
特別遊技役ゲームの自摸牌選択支援プログラムＰ１０は、遊技者が特別遊技役の権利を獲得したゲームを実施するとき、アタッカー１１に遊技球が入球した信号が入力されると、遊技者に対して、第２の表示装置１６の画面と対話方式により自摸する牌の図柄を任意に選択する操作を支援するためのプログラムである。
【０１１０】
ゲーム履歴データ記録プログラムＰ１１は、当日に実施された１ゲーム毎のゲーム結果の履歴データをＲＡＭ４２ａに記憶する処理を行なうためのプログラムである。このゲーム結果の履歴データとしては、これまでの当日のゲーム実施回数と上がり役を完成させた上がり回数（入賞総回数）、同じく当日にビックゲーム役とチャンスゲーム役を獲得した回数、同じく入賞したときの上がり役の名称と払い出しメダル枚数、前回の入賞から次回の入賞までに実施されたゲーム回数である連続流局回数、通常遊技において当該ゲームの直前に実施されたゲームが上がり役を完成させたゲームであるときに、その連続して入賞した回数を示す連続継続入賞回数、等に関するデータが記録され、さらに更新したデータが記録される。
【０１１１】
上記したゲーム結果の履歴データのうち、当日のゲーム実施回数と上がり回数、連続継続入賞回数、連続流局回数等のデータは、１ゲームが終了するごとに、メイン制御プログラムＰ１の制御により、サブ制御基板Ｋｂを経由して第１の画像制御基板Ｋｃに送信される。
【０１１２】
加算メダル枚数算出プログラムＰ１２は、遊技者が上がり役を完成させたときにメイン制御プログラムＰ１の制御に従って、増加メダル枚数Ｍ２を求める処理を行なうプログラムである。本実施形態においては、得点増加手段として、ドラ牌による得点増加手段を備えているので、加算メダル枚数算出プログラムＰ１２は、この得点増加手段を実行するためのドラ牌による得点増加プログラムＰ１２ａを備えている。
【０１１３】
ドラ牌による得点増加プログラムＰ１２ａは、ドラ牌による得点増加手段を実行するプログラムであって、遊技者は増加メダルを獲得することが可能か否かの判定と、可能と判定した場合にはその増加メダルを求める処理を行なう。ドラ牌による得点増加プログラムＰ１２ａは、上がり役を完成した手牌データに表ドラ、あるいは遊技者がリーチをかけて上がった場合にはさらに裏ドラの図柄コードが含まれていると、ドラ牌１個に付き、例えば、３枚のメダルを増加メダル枚数とする処理を行なう。
【０１１４】
上がり役を完成した手牌データに表ドラ、あるいは裏ドラが含まれているか否か、およびその個数の判定は、ゲーム開始時にドラ牌抽選プログラムＰ７により決定してＲＡＭ４２ａに記憶した表ドラ、裏ドラの図柄コードが１４個の手牌データに含まれているか否かを順次判定することにより可能になる。
【０１１５】
（サブ制御基板Ｋｂ搭載のプログラム）
続いて、サブ制御基板ＫｂのＲＯＭ４１ｂに搭載されているプログラムの構成を、図１１に基づいて説明する。図１１に示すように、サブ制御基板Ｋｂに搭載のプログラムは、主として、メイン制御プログラムＰ２１、ランプ制御プログラムＰ２２、アシストプログラムＰ２３から構成される。
【０１１６】
このうち、メイン制御プログラムP２１は、メイン制御基板Ｋａから送信された各種の制御コマンドと制御データを解読して、制御コマンドごとに上記プログラムＰ２２、Ｐ２３の実行と、通信制御プログラムＰ２１ａにより第１および第２の画像制御基板Ｋｃ、Ｋｄとの通信を制御する処理を行なう。
【０１１７】
ランプ制御プログラムＰ２２は、メイン制御基板Ｋａから送信された制御コマンドとその制御データに基づいて、遊技盤２に配設されているランプ８、１４、発光手段Ｌ１、Ｌ２、・・・、Ｌ２７の点灯と消灯の制御を行なうためのプログラムであって、サブプログラムとして入球口点灯制御プログラムＰ２２ａを備えている。
【０１１８】
入球口点灯制御プログラムＰ２２ａは、遊技者が自摸操作を行なう前に表示装置１０と対話方式により、自摸牌として希望する図柄を指定したときに、この指定した図柄に対応する入球口に係る発行手段Ｌ１、・・・のいずれかを点灯する制御を行なう。また、入球口点灯制御プログラムＰ２２ａは、遊技者が遊技球を発射してその入球信号が入力されると、この点灯した発光手段を消灯する制御を行なう。
【０１１９】
（第１の画像制御基板Ｋｃ搭載のプログラム）
続いて、第１の画像制御基板ＫｃのＲＯＭ４１ｃに搭載されているプログラムの構成を図１２に基づいて説明する。第１の画像制御基板Ｋｃに搭載されているプログラムは、第１の表示装置１０に各種の画像等を表示するためのプログラムであって、メイン制御プログラムＰ３１、画面表示プログラムＰ３２等から構成される。
【０１２０】
メイン制御プログラムＰ３１は、サブ制御基板Ｋｂから送信された制御コマンドと制御データを受信し、受信したデータに基づいて画面表示プログラムＰ３２の各サブプログラムの作動を制御する処理を行なう。画面表示プログラムＰ３２は、通常遊技画面表示プログラムＰ３２ａ、特別遊技画面表示プログラムＰ３２ｂ、等から構成される。
【０１２１】
通常遊技画面表示プログラムＰ３２ａは、雀球遊技機１の電源ＯＮ時から、遊技者が通常の遊技を行っているときに、表示装置１０に各種の演出画像や遊技者に対して支援する各種の画像を表示する処理を行なうプログラムである。通常遊技画面表示プログラムＰ３２ａは、さらに、サブプログラムとして初期演出表示プログラムＰ３２ａ−１、ゲーム演出表示プログラムＰ３２ａ−２、自摸牌候補指定画面表示プログラムＰ３２ａ−３を備えている。
【０１２２】
初期演出表示プログラムＰ３２ａ−１は、雀球遊技機１の電源をＯＮしたときに、初期画面を表示するためのプログラムである。ゲーム演出表示プログラムＰ３２ａ−２は、ゲームの進行に伴って遊技者にゲームの操作等をアシストする画面等を表示する。
【０１２３】
自摸牌候補指定画面表示プログラムＰ３２ａ−３は、遊技者が自摸操作を行なう前に表示装置１０と対話方式により、自摸牌として希望する図柄を指定する操作を支援するために、図６（ａ）、図６（ｂ）に示す画面を表示するためのプログラムである。
【０１２４】
特別遊技役獲得演出表示プログラムＰ３２ｂは、遊技者が特別遊技役の権利を獲得したときに各種の演出用の画面を表示する処理を行なうプログラムである。
【０１２５】
前記したメイン制御基板Ｋａに搭載されている自摸牌候補指定支援プログラムＰ６と、自摸牌候補指定画面表示プログラムＰ３２ａ−３により、遊技者が自摸操作を行なう前に表示装置１０と対話方式により、自摸牌として希望する図柄を指定する処理は、下記（手順Ｔ１）〜（手順Ｔ２）に記載の内容に基づいて行なうことができる。
【０１２６】
（手順Ｔ１）
まず、遊技者の捨て牌の操作等を行なって手牌データが１３個になると、メイン制御基板Ｋａのメイン制御プログラムＰ１は、自摸牌種を指定する画面を表示する制御コマンドを、サブ制御基板Ｋｂを経由して第１の画像制御基板Ｋｃに送信する。
【０１２７】
（手順Ｔ２）
第１の画像制御基板Ｋｃは、自摸牌種を指定する画面を表示する制御コマンドを受信すると、自摸牌候補指定画面表示プログラムＰ３２ａ−３は表示装置１０に図６（ａ）に示す画面を表示する処理を行なう。図６（ａ）に示す画面は、本雀球遊技機で使用する牌種である「萬子」、「筒子」、「索子」、「字牌」を所定の領域に表示した画面であって、初期表示においては図６（ａ）に示すように「萬子」の表示領域ａ１を他の牌種の表示領域と比較して、異なる色、または明るさで識別して表示している。
【０１２８】
遊技者は、図６（ａ）に示す画面を見ながら、次の自摸操作で自摸したい自摸牌の候補の牌種を、右シフトボタン２２ａ、左シフトボタン２２ｂ、および選択決定ボタン２３を操作して対話方式により指定する操作を行なう。この操作に伴なうプログラム処理は、例えば、次のようにして行なうことができる。
【０１２９】
（１）メイン制御基板Ｋａの自摸牌候補指定支援プログラムＰ６は、ＲＡＭ４２ａに「萬子」、「筒子」、「索子」、「字牌」の４種の牌種コードを配列したデータテーブルと、右シフトボタン２２ａ、左シフトボタン２２ｂ等の操作に伴なって移動する仮想のカーソルの位置を把握する領域を設けておく。そして、初期化処理時においては、この仮想のカーソルの位置は、「萬子」の牌種コードを示すように設定する。図６（ａ）に示す画面は、この初期化時の状態を第１の表示装置１０に示した画面例である。
【０１３０】
（２）図６（ａ）に示す画面において、遊技者は「萬子」を選択したいときは、直ちに、選択決定ボタン２３を押圧することにより、自摸牌候補指定支援プログラムＰ６は、現在の仮想のカーソル位置が示している「萬子」の牌種が選択されたと判定して、この「萬子」の牌種コードをＲＡＭ４２ａに記憶するとともに、牌種決定制御コマンドを、サブ制御基板Ｋｂを経由して第１の画像制御基板Ｋｃに送信する。第１の画像制御基板Ｋｃの自摸牌候補指定画面表示プログラムＰ３２ａ−３は、この制御コマンドを受信すると、遊技者が選択した「萬子」を表示する領域ａ１を、例えば、赤色で表示するようにする。
【０１３１】
なお、自摸牌候補指定画面表示プログラムＰ３２ａ−３も、ＲＡＭ４２ｃに「萬子」、「筒子」、「索子」、「字牌」の４種の牌種コードを配列したデータテーブルと、右シフトボタン２２ａ、左シフトボタン２２ｂ等の操作に伴なって移動する仮想のカーソルの位置を把握する領域を設けておくようにする。
【０１３２】
（３）図６（ａ）に示す画面において、遊技者は「字牌」を選択したいときは、右シフトボタン２２ａを３回押圧する操作を行なう。そして、右シフトボタン２２ａが１回押圧される信号が入力されるごとに、仮想のカーソルの位置を把握する記憶領域に記憶している値を更新する処理を行なうとともに、右シフトボタン２２ａの押圧されたことを示す制御コマンドを、サブ制御基板Ｋｂを経由して第１の画像制御基板Ｋｃに送信する。第１の画像制御基板Ｋｃの自摸牌候補指定画面表示プログラムＰ３２ａ−３は、この制御コマンドを受信すると、図６（ａ）に示す画面の「筒子」を表示している領域ａ２を識別表示する。このようにして、遊技者は、右シフトボタン２２ａを３回押圧して選択決定ボタン２３を押圧することにより、「字牌」を指定することができる。
【０１３３】
第１の画像制御基板Ｋｃの自摸牌候補指定画面表示プログラムＰ３２ａ−３は、メイン制御基板Ｋａから牌種決定制御コマンド（選択決定ボタンの押圧により牌種が指定されたことを示す制御コマンド）を受信すると、図６（ｂ）に示す自摸牌候補の指定画面を表示する。図６（ｂ）に示す画面は、図６（ａ）に示す牌種候補の選択画面から「萬子」が指定されたので、遊技者に「萬子」に関する全ての図柄「一萬」〜「九萬」を表示領域ｂ１に表示した画面である
【０１３４】
続いて、遊技者は図６（ｂ）に示す自摸牌候補の指定画面をみながら、自摸牌としたい図柄を、右シフトボタン２２ａ、左シフトボタン２２ｂ、および選択決定ボタン２３を操作して対話方式により指定する操作を行なう。図６（ａ）に示す例においては、遊技者は「三萬」と「六萬」を指定したことを示している。メイン制御基板Ｋａの自摸牌候補指定支援プログラムＰ６は、遊技者が指定した「三萬」と「六萬」の図柄コードを自摸牌候補としてＲＡＭ４２ａに記憶する。
【０１３５】
なお、メイン制御基板Ｋａの自摸牌候補指定支援プログラムＰ６が、遊技者が図６（ｂ）に示す自摸牌候補の図柄指定画面を利用して指定した図柄に対応する図柄コードを求める方法は、上記した牌種の指定と同様に、ＲＡＭ４２ａに「一萬」〜「九萬」の図柄コードの配列と、仮想のカーソルの位置を把握する領域を設けることにより可能になる。
【０１３６】
なお、遊技者が希望する自摸牌候補の図柄を複数個指定可能とした場合には、メイン制御基板Ｋａの自摸牌候補指定支援プログラムＰ６の制御に基づいて、下記（１）または（２）に記載の処理方法を採用することができる。
【０１３７】
（１）同一の牌種から複数個指定する場合には、図６（ｂ）の図柄の表示領域ｂ１に表示されている図柄について、希望する図柄を表示している表示領域を順次選択して指定できるようにする。
【０１３８】
（２）異なる牌種について複数の図柄を指定する場合には、所定個数の図柄が指定されるまで、図６（ａ）と（ｂ）の画面を順次表示させる制御を行なって、遊技者にそれぞれの牌種の図柄を選択させるようにする。
【０１３９】
（第２の画像制御基板Ｋｄ搭載のプログラム）
続いて、第２の画像制御基板ＫｄのＲＯＭ４１ｄに搭載されているプログラムの構成を図１３に基づいて説明する。第２の画像制御基板Ｋｄに搭載されているプログラムは、メイン制御プログラムＰ４１、画面表示プログラムＰ４２、音声・効果音出力プログラムＰ４３等から構成される。
【０１４０】
メイン制御プログラムＰ４１は、サブ制御基板Ｋｂから送信された制御コマンドと制御データを受信し、受信したデータに対応して画面表示プログラムＰ４２の各サブプログラム、音声・効果音出力プログラムＰ４３を作動させる処理を行なうためのプロググラムである。画面表示プログラムＰ４２は、通常遊技画面表示プログラムＰ４２ａと、特別遊技画面表示プログラムＰ４２ｂから構成されている。
【０１４１】
通常遊技画面表示プログラムＰ４２ａは、初期演出表示プログラムＰ４２ａ−１、ゲーム演出プログラムＰ４２ａ−２等のサブプログラムを備えている。
【０１４２】
初期演出表示プログラムＰ４２ａ−１は、雀球遊技機の電源をＯＮしたときに、初期画面を表示するためのプログラムである。
【０１４３】
ゲーム演出表示プログラムＰ４２ａ−２は、主として、１４個の配牌が決定されたとき、および遊技の進行に伴って遊技者が捨て牌の操作、遊技球の発射による自摸操作等を行なうごとに、メイン制御基板Ｋａからサブ制御基板Ｋｂを経由して送信された制御コマンドとその制御データに基づいて、図５に示すように、現在の手牌データの図柄、捨て牌の図柄等を表示する処理を行なうプログラムである。
【０１４４】
特別遊技画面表示プログラムＰ４２ｂは、遊技者が特別遊技役の権利を獲得したときに各種の演出用の画面を表示する処理を行なうプログラムであって、サブプログラムとして自摸牌候補選択支援プログラムＰ４２ｂ−１を備えている。自摸牌候補選択支援プログラムＰ４２ｂ−１は、遊技者が特別遊技役の権利を獲得したゲームを実行するときに、第２の表示装置１６に表示される２７種の牌の図柄を、牌選択右シフトボタン２２ａ、あるいは牌選択左シフトボタン２２ｂを操作してスクロールさせながら、対話方式により自摸すべき牌の図柄を選択する操作を支援するためのプログラムである。
【０１４５】
音声・効果音出力プログラムＰ４３は、サブ制御基板Ｋｂから送信された制御コマンドとその制御データに基づいて、遊技の進行に伴って各種の演出用音声、および効果音をスピーカー６から出力するためのプログラムである。
【０１４６】
なお、第１の画像制御基板ＫｃのＲＯＭ４１ｃ、第２の画像制御基板ＫｄのＲＯＭ４１ｄには、それぞれ表示装置１０、１６に表示する画像データがデジタル画像データとして記憶されている。これらのデータは、例えば、各牌の図柄の画像、演出用の風景やキャラクタに関する画像、上がり役を完成したときの演出用の画像等である。
【０１４７】
上記した各制御基板Ｋａ、Ｋｂ、Ｋｃ、Ｋｄの動作を制御する動作制御プログラムは、アセンブラ言語、Ｃ言語あるいはVisual Basic言語等を利用して開発し、各基板のＣＰＵが実行可能なプログラムである機械語プログラムに翻訳したプログラムが各制御基板Ｋａ、Ｋｂ、Ｋｃ、ＫｄのＲＯＭに記憶されている。
【０１４８】
（ゲームの進行制御）
続いて、本発明の雀球遊技機１に搭載されている動作制御プログラムがゲーム進行を制御する方法について説明する。図１４〜図１６は、ゲームの進行を統括して制御するメイン制御基板Ｋａに搭載されているメイン制御プログラムＰ１が、１ゲームの進行を制御する流れを示すフローチャートである。以下、図１４〜図１６に示すステップ順に制御の流れについて説明する。
【０１４９】
なお、図１４には示していないが、遊技ホールの管理者等は、当日の営業を開始する前に雀球遊技機１の電源をＯＮする。雀球遊技機１の電源がＯＮされると、メイン制御基板Ｋａのメイン制御プログラムＰ１は、メイン制御基板ＫａのＲＡＭ４２ａの記憶領域を初期化する。続いて、メイン制御プログラムＰ１は、電源ＯＮ時の初期化制御コマンドをサブ制御基板Ｋｂに、サブ制御基板Ｋｂはこの初期化制御コマンドを第１および第２の画像制御基板Ｋｃ、Ｋｄに送信する。
【０１５０】
サブ制御基板Ｋｂ、第１および第２の画像制御基板Ｋｃ、Ｋｄは、この初期化制御コマンドを受信すると、各制御基板に搭載されているメインプログラムは、ＲＡＭ４２ｂ、ＲＡＭ４２ｃ、ＲＡＭ４２ｄの記憶領域を初期化する。また、第１および第２の画像制御基板Ｋｃ、Ｋｄに搭載されている各メイン制御プログラムＰ３１およびＰ４１は、初期演出表示プログラムＰ３２ａ−１およびＰ４２ａ−１を作動させて、電源ＯＮ時の演出画面、例えば、風景あるいはキャラクタに関する画像を表示装置１０、１６に表示する等の処理を行なう。これにより、雀球遊技機１は、遊技者が１ゲームにつき所定の枚数のメダルをメダル投入口１７に投入することにより、ゲームを実施することが可能な状態になる。
【０１５１】
（ステップＳ１）
遊技者がゲームを行なうためには、１ゲームにつき所定の数の遊技媒体、例えば、３枚のメダルをメダル投入口１７に投入する必要がある。メダル投入センサからのメダル投入信号がメイン制御基板Ｋａに入力されると、メイン制御プログラムＰ１はメダル管理プログラムＰ２を作動させる。メダル管理プログラムＰ２は、投入されたメダル枚数をカウントし、メダル貯留枚数を記憶するＲＡＭ４２ａの記憶領域に投入されたメダル枚数を記憶する処理を行なう。
【０１５２】
メイン制御プログラムＰ１は、１ゲームの実施に必要なメダルの枚数が投入されたことを判定すると、遊技者にゲーム開始ボタン１８の押圧を促すための制御コマンドを、サブ制御基板Ｋｂを経由して第１の画像制御基板Ｋｃに送信する。第１の画像制御基板Ｋｃはこの制御コマンドを受信すると、ゲーム演出表示プロググラムＰ３２ａ−２は表示装置１０に、「ゲーム開始ボタンを押して下さい」と表示する処理を行なう。このとき、第２の画像制御基板Ｋｄの音声・効果音出力プログラムＰ４３を作動させて、同時に音声をスピーカー６から出力させるようにしてもよい。
【０１５３】
（ステップＳ２）
遊技者がゲーム開始ボタン１８を押圧して、ゲーム開始信号がメイン制御基板Ｋａに入力される迄待ちの状態になる。そして、ゲーム開始ボタン１８が押圧されると、メイン制御プログラムＰ１は、ゲーム開始の制御コマンドを、サブ制御基板Ｋｂを経由して第１および第２の画像制御基板Ｋｃ、Ｋｄに送信する。第１および第２の画像制御基板Ｋｃ、Ｋｄのゲーム演出表示プログラムＰ３２ａ−２、Ｐ４２ａ−２は、この制御コマンドに基づいて、ゲーム開始時の演出画像を表示装置１０、１６に表示すると共に、音声・効果音出力プログラムＰ４３により音声をスピーカー６から出力する。このようにして、雀球遊技機の１ゲームが開始する。
【０１５４】
続いて、メイン制御プログラムＰ１は、１ゲームの開始に当って、ＲＡＭ４２ａに設定した各種の記憶領域に初期値を記憶する初期化処理を行なう。例えば、１ゲームに遊技者が自摸操作のために遊技球を発射することができる個数を記憶する領域（遊技球の残り個数記憶領域）に初期値として、規定個数の「１１」を記憶する他、後記する各種のフラグを初期値に設定する処理を行なう。
【０１５５】
（ステップＳ３）
続いて、メイン制御プログラムＰ１は、自動配牌プログラムＰ４を作動させて、ゲームを開始するために必要な１４個の配牌の図柄コードを自動的に決定する処理を行なう。自動配牌プログラムＰ４は、自動配牌した１４個の図柄コードをＲＡＭ４２ａの手牌記憶領域に順次記憶した後、所定の順序、例えば、図柄コードの上昇順、すなわち、萬子、筒子、索子、風牌、三元牌の順に並び替えて手牌記憶領域に記憶する処理を行なう。
【０１５６】
次に、メイン制御基板Ｋａのメイン制御プログラムＰ１は、この１４個の配牌された図柄コードを、制御コマンドと共にサブ制御基板Ｋｂに送信する。サブ制御基板Ｋｂのメイン制御プログラムＰ２１は、この１４個の配牌された図柄コードを受信すると、ＲＡＭ４２ｂにこの図柄コードを記憶すると共に、第２の画像制御基板Ｋｄにこれら１４個の配牌された図柄コードを送信する。第２の画像制御基板Ｋｄのゲーム演出表示プログラムＰ４２ａ−２は、１４個の配牌の図柄コードを受信すると、図５に示すような牌の図柄の画像を、現在の遊技者の手牌として、表示装置１６の手牌表示部３４と自摸牌表示部３５に表示する処理を行なう。
【０１５７】
（ステップＳ４）
続いて、メイン制御プログラムＰ１はドラ抽選プログラムＰ７を作動させて、当該ゲームの表ドラと裏ドラの図柄コードを決定する処理を行なう。そして、決定した表ドラと裏ドラの図柄コードは、ＲＡＭ４２ａに記憶するとともに、制御コマンドと共にサブ制御基板Ｋｂを経由して第２の画像制御基板Ｋｄに送信する処理を行なう。
【０１５８】
サブ制御基板Ｋｂのメイン制御プログラムＰ２１は、メイン制御基板Ｋａから当該ゲームの表ドラと裏ドラの図柄コードを受信すると、これらのコードをＲＡＭ４２ｂに記憶する処理を行なう。
【０１５９】
第２の画像制御基板Ｋｄのゲーム演出表示プログラムＰ４２ａ−２は、表ドラの図柄コードを受信すると、図５に示すように、表ドラの図柄コードに対応する図柄を表ドラ表示部２８に表示し、裏ドラの図柄コードはＲＡＭ４２ｄに記憶する処理を行なう。
【０１６０】
（ステップＳ５）
ＲＡＭ４２ａに設定した特別遊技フラグに「０」が記憶されているか否かを判定する。この判定の結果、「０」が記憶されていると次のステップＳ７に進む。一方、特別遊技フラグに「１」または「２」が記憶されていると、図１７に示すステップＳ５０に進む。特別遊技フラグとは前記したように、当該ゲームの制御を通常遊技役のモードで進行させるときには「０」が記憶され、ビッグゲーム役のモードで進行させるときには「１」が記憶され、チャンスゲーム役のモードで進行させるときには「２」が記憶されている。
【０１６１】
（ステップＳ６）
ステップＳ５により、当該ゲームは通常遊技役のモードでゲームの進行制御を行なうことが判定されたので、メイン制御プログラムＰ１は、特別遊技役抽選プログラムＰ５を作動させる。特別遊技役抽選プログラムＰ５は、まず、ビッグゲーム役抽選プログラムＰ５ａを作動させて、当該ゲームにおいてビッグゲーム役の権利を獲得できる一つの上がり役を決定する。そして、決定したビッグゲーム役の権利を獲得できる上がり役コードをＲＡＭ４２ａに記憶する。
【０１６２】
続いて、特別遊技役抽選プログラムＰ５は、チャンスゲーム役抽選プログラムＰ５ｂを作動させて、当該ゲームにおいてチャンスゲーム役の権利を獲得できる二つの上がり役を決定する。そして、決定したチャンスゲーム役の権利を獲得できる上がり役のコードをＲＡＭ４２ａに記憶する。
【０１６３】
ビッグゲーム役抽選プログラムＰ５ａ、およびチャンスゲーム役抽選プログラムＰ５ｂにより決定されたビッグゲーム役とチャンスゲーム役の権利を獲得することができる上がり役のコードは、メイン制御プログラムＰ１の制御により、制御コマンドとともにサブ制御基板Ｋｂを経由して第２の画像制御基板Ｋｄに送信される。
【０１６４】
第２の画像制御基板Ｋｄのゲーム演出表示プログラムＰ４２ａ−２は、ビックゲーム役とチャンスゲーム役の権利を獲得することができる上がり役のコードを受信すると、第２の表示装置１６の演出表示部３０（図５参照）の上部に設定したビックゲーム役表示部３１、チャンスゲーム役表示部３２ａと３２ｂにこれら上がり役コードに対応する上がり役を表示する処理を行なう。遊技者はこの表示内容により、これから実施する１ゲームのビックゲーム役とチャンスゲーム役の権利を獲得することができる上がり役を認識することができる。
【０１６５】
以上の処理が終わると、１ゲームを実施するための条件が整ったことになるので、これから１ゲームが開始される旨を第１および第２表示装置１０、１６に表示し、またスピーカー６から音声で知らせる処理を行なうように制御する。
【０１６６】
なお、遊技者の手牌が捨てれば聴牌の状態になると、リーチボタン２１を押圧してリーチをかけることができる。そして、このリーチ信号がメイン制御基板Ｋａに入力されると、メイン制御プログラムＰ１は、リーチがかかったことを示す制御コマンドを、サブ制御基板Ｋｂを経由して第２の画像制御基板Ｋｄに送信する。そして、第２の画像制御基板Ｋｄのゲーム演出表示プログラムＰ４２ａ−２は、この制御コマンドを受信すると、ＲＡＭ４２ｄに記憶した裏ドラの図柄コードに対応する図柄を裏ドラ表示部２８ｂに表示する処理を行なう。
【０１６７】
（ステップＳ７）
メイン制御プログラムＰ１は、入賞判定プログラムＰ８のサブプログラムである上がり判定プログラムＰ８ａを作動させて、自動配牌された１４個の手牌データが上がりの組合せを完成しているか否かを判定する処理を行なう。この上がり判定プログラムＰ８ａにより、１４個の手牌データが上がりの組合せを完成しているか否かを判定する手順は、前記（手順１）〜（手順４）に記載した通りである。
【０１６８】
このステップＳ７の処理において、上がりを完成していると判定された場合には、図１５に示すステップＳ２０に進む。一方、上がり役による上がりを完成していないと判定された場合には、ステップＳ８に進む。
【０１６９】
（ステップＳ８）
ＲＡＭ４２ａに設定した自摸捨て牌フラグに「１」が記憶されているか否かを判定する。そして、「１」が記憶されている場合にはステップＳ８ａに進み、  自摸捨て牌フラグに「０」が記憶されている場合には、ステップＳ９に進む。
【０１７０】
なお、自摸捨て牌フラグとは、前記したように、自摸牌の捨て牌用ボタンスイッチ２０の操作を行なわなくても、遊技者が自摸した牌を、プログラム処理により自動的に捨て牌の処理を行なうか否かを判定するために設定したフラグである。前記したステップＳ２のゲーム開始時の初期化処理において、この自摸捨て牌フラグには「０」を記憶する処理を行なうので、配牌後の最初の制御においてはステップＳ８からステップＳ８ａに進む制御の流れは生じないことになる。
【０１７１】
（ステップＳ８ａ）
ステップＳ８ａでは、自動捨て牌フラグに「１」が記憶されていたので、遊技者の自摸操作により自摸した図柄をＲＡＭ４２ａに記憶する手配データに加える処理を行なわずに、かつ、遊技者は捨て牌用ボタンスイッチ１９ａ等を押圧しなくても、プログラム処理によりこの自摸した図柄を自動的に捨て牌として捨てる処理を行なう。
【０１７２】
この捨て牌の自動処理を行なうために、メイン制御プログラムＰ１は、自摸牌を捨て牌処理するための制御コマンドを、サブ制御基板Ｋｂを経由して第２の画像制御基板Ｋｄに送信する。第２の画像制御基板Ｋｄは、この制御コマンドを受信すると、ゲーム演出表示プログラムＰ４２ａ−２は、自摸牌表示部３５に表示している図柄を、捨て牌とされた図柄として捨て牌表示部３３に表示する処理を行なう。これにより、遊技者は捨て牌用ボタンスイッチ１９ａ、・・・、２０のいずれかを押圧して、現在の手牌から不要な一つの図柄を捨てる捨て牌の操作を行なう必要がなくなる。
【０１７３】
（ステップＳ９）  
ステップＳ９においては、メイン制御プログラムＰ１の制御により、遊技者が捨て牌用ボタンスイッチ１９ａ、１９ｂ、・・・、１９ｍ、自摸捨て牌用ボタンスイッチ２０のいずれかをＯＮしたか否かの入力待ち、すなわち、捨て牌の操作を行なうまで待ちの状態に設定し、捨て牌信号が入力されると、この捨て牌操作に対する処理を行なう。
【０１７４】
遊技者が捨て牌の操作を行なって、捨て牌用ボタンスイッチ１９ａ等のいずれかから捨て牌信号が入力されると、メイン制御プログラムＰ１はその入力信号を解析して、遊技者が捨て牌とした図柄の図柄コードを判定する処理を行なう。次に、メイン制御プログラムＰ１は、ＲＡＭ４２ａの手牌記憶領域に記憶している手牌データからこの捨て牌の図柄コードを削除する処理を行なう。
【０１７５】
続いて、メイン制御プログラムＰ１は、この捨て牌とした図柄コード、１３個になった手牌データを、サブ制御基板Ｋｂを経由して第２の画像制御基板Ｋｄに送信する。第２の画像制御基板Ｋｄは、この捨て牌の図柄コードと１３個の手牌データを受信すると、ゲーム演出表示プログラムＰ４２ａ−２は捨て牌の図柄コードに対応する図柄を捨て牌表示部３３に、１３個の手牌データに対応する図柄を手牌表示部３４に表示する処理を行なう。
【０１７６】
なお、前記したように、遊技者の手牌が捨てれば聴牌の状態になると、遊技者は手牌から不要な牌を捨てる操作を行なう前に、リーチボタン２１を操作してリーチをかけることができる。そして、リーチをかけると、次の自摸操作で自摸した牌が上がり役を完成しないときは、この自摸牌は捨て牌用ボタンスイッチ１９ａ等を押圧しなくてもメイン制御プログラムＰ１により自動的に捨て牌の処理を行なうことが可能になる。
【０１７７】
（ステップＳ１０）
ステップＳ１０の処理は本発明の特徴をなすものであって、メイン制御プログラムＰ１は、図１６に示している手順に従ってゲームの進行を制御する。以下、図１６に示すフローチャートに基づいてステップＳ１０の処理内容について説明する。
【０１７８】
（ステップＳ１００）
メイン制御プログラムＰ１は、遊技者に牌種を指定させる画面を表示するための制御コマンドを、サブ制御基板Ｋｂを介して第１の画像制御基板Ｋｃに送信する。第１の画像制御基板Ｋｃはこの制御コマンドを受信すると、前記したように自摸牌候補指定画面表示プログラムＰ３２ｂ−１により、第１の表示装置１０に図６（ａ）に示す牌種の指定画面を表示する処理を行なう。
【０１７９】
（ステップＳ１０１）
メイン制御基板Ｋａの自摸牌候補指定支援プログラムＰ６と、第１の画像制御基板Ｋｃの自摸牌候補指定画面表示プログラムＰ３２ｂ−１は、遊技者の右シフトボタン２２ａ、左シフトボタン２２ｂ、選択決定ボタン２３の操作に従って、図６（ａ）に示す牌種の指定画面と図６（ｂ）に示す自摸牌候補の指定画面の表示内容を制御しながら、自摸操作により手牌に追加したい２個の図柄を指定する操作を支援する処理を行なう。
【０１８０】
（ステップＳ１０２）
遊技者が次の自摸操作で自摸したいと指定した２個の図柄の図柄コードをＲＡＭ４２ａに記憶するとともに、この図柄コードをサブ制御基板Ｋｂに送信する。サブ制御基板Ｋｂの入球口点灯制御プログラムＰ２２ａは、この自摸候補となる２個の図柄コードを受信すると、受信した図柄コードの図柄に対応する入球口に配置された発光手段Ｌ１、Ｌ２、・・・の何れか２個を点灯させる処理を行なう。
【０１８１】
（ステップＳ１０３）
ステップＳ１０３においては、メイン制御プログラムＰ１の制御により、遊技者が遊技球発射レバー４から１個の遊技球を発射して、この遊技球が入球口１３ａ等の何れかの入球口に入球し、入球センサからその入球信号が入力されるまで待ちの状態に設定する。そして、入球信号が入力されと、次のステップＳ１０４〜Ｓ１０７でこの自摸操作に対する処理を行なう。
【０１８２】
（ステップＳ１０４）
自摸操作として発射された遊技球が入球口に入球し、その入球口に設置されている入球センサから入球信号が入力されると、メイン制御プログラムＰ１は、この遊技球の入球信号を解析して遊技球が入球した入球口に対応する図柄コードを求めて、ＲＡＭ４２ａに自摸牌の図柄コードとして記憶する処理を行なう。
【０１８３】
続いて、この図柄コードを、遊技者が自摸した牌の図柄コードとしてサブ制御基板Ｋｂを経由して第２の画像制御基板Ｋｄに送信する。第２の画像制御基板Ｋｄのゲーム演出表示プログラムＰ４２ａ−１はこの自摸牌の図柄コードを受信すると、受信した図柄コードに対応する図柄を表示装置１６の自摸牌表示部３５に表示する処理を行なう。
【０１８４】
また、サブ制御基板Ｋｂの入球口点灯制御プログラムＰ２２ａは、メイン制御基板Ｋａから遊技者が自摸した牌の図柄コードを受信すると、上記したステップＳ１０２により点灯した２個の発光手段について消灯する処理を行なう。
【０１８５】
（ステップＳ１０５）
ステップＳ１０５においては、ステップＳ１０４において自摸牌の図柄コードとしてＲＡＭ４２ａに記憶した図柄コードが、ステップＳ１０２において遊技者が次の自摸操作で自摸したいと指定してＲＡＭ４２ａに記憶した２個の図柄の図柄コードに含まれているか否かを判定する処理を行なう。すなわち、遊技者が自摸操作を行なう前に指定（申告）した入球口に遊技球が入球したか否かを判定する。この判定の結果、遊技者が指定した入球口に遊技球が入球した場合にはステップＳ１０６に進む。一方、指定した入球口に遊技球が入球しなかった場合には、ステップＳ１０７に進む。
【０１８６】
（ステップＳ１０６）
遊技球が入球した入球口に対応する図柄の図柄コードを自摸牌の図柄コードとして、ＲＡＭ４２ａの手牌データを記憶している領域に追加する処理を行なって、ステップＳ１０の処理を終わる。
【０１８７】
（ステップＳ１０７）
メイン制御プログラムＰ１は、ＲＡＭ４２ａに設定した自摸捨て牌フラグに「１」を記憶する処理を行なって、ステップＳ１０の処理を終わる。
【０１８８】
（ステップＳ１１）
遊技球残り個数カウントプログラムＰ１ｃを作動させて、ＲＡＭ４２ａの記憶領域に記憶している遊技球の残り個数を１個減算する処理を行なうとともに、この遊技球の残り個数を、サブ制御基板Ｋｂを経由して第２の画像制御基板Ｋｄに送信する。第２の画像制御基板Ｋｄのゲーム演出表示プログラムＰ４２ａ−２は、この遊技球の残り個数を受信すると、遊技球の残り遊技球個数表示部２７にこの値を表示する。また、自摸回数カウントプログラムＰ１ｄを作動させて、ＲＡＭ４２ａの記憶領域に記憶している配牌後の自摸回数を「＋１」する処理を行なう。
【０１８９】
（ステップＳ１２）
ステップＳ１２においては、上がり判定プログラムＰ８ａを作動させて、前記したステップＳ７と同様に、１４個になった手牌データが上がりを完成させたか否かを判定する処理を行なう。この判定の結果、上がりを完成していると判定された場合には、図１５に示すステップＳ２０に進む。一方、上がりを完成していないと判定された場合には、ステップＳ１３に進む。
【０１９０】
（ステップＳ１３）
メイン制御プログラムＰ１は、遊技者は、さらに自摸操作を行なうことが可能か、すなわち、ステップＳ１１によりＲＡＭ４２ａの記憶領域に記憶した遊技球の残り個数が、１個以上残っているかを判定する処理を行なう。そして、この判定結果、遊技球が１個以上残っている場合には、前記したステップＳ８に戻るように制御する。一方、発射可能な遊技球が０個の場合には、ステップＳ１４に進んでゲームオーバ（ゲーム終了）に対する処理を行なう。
【０１９１】
（ステップＳ１４）
遊技者は規定個数の遊技球を発射する自摸操作を行なっても、上がりを完成させることができなかったので、メイン制御プログラムＰ１は、当該ゲームをゲームオーバ（流局）として終了する処理を行なう。
【０１９２】
このゲームオーバの処理としては、ゲームオーバの制御コマンドを、サブ制御基板Ｋｂを経由して第１および第２の画像制御基板Ｋｃ、Ｋｄに送信する。第１、第２の画像制御基板Ｋｃ、Ｋｄは、このゲーム終了の制御コマンドを受信すると、第１、第２の表示装置１０、１６に「ゲームオーバ」等の表示を行なうようにする。
【０１９３】
さらに、メイン制御プログラムＰ１は、ゲーム履歴データ記録プログラムＰ１１を作動させて、遊技者が今回実施したゲームの履歴データを、ＲＡＭ４２ａの履歴データ記憶領域に追加して記録する処理と、履歴データを更新する処理を行なう。このＲＡＭ４２ａに記憶するゲーム結果の履歴データは、前記したゲーム履歴データ記録プログラムＰ１１の処理内容で説明したデータ項目である。
【０１９４】
（ステップＳ２０）
遊技者の手牌データは上がりの組合せを完成したので、メイン制御プログラムＰ１は上がり役判定プログラムＰ８ｂを作動させて、まず、遊技者が上がりを完成させた手牌データについて、如何なる上がり役を完成しているかを判定する処理を行なう。
【０１９５】
この上がり役の判定処理を実行する上がり役判定プログラムＰ８ｂは、前記したように、遊技者の手牌データが「七対子」または「一般上がり役」の上がり役を完成している場合には、複合する上がり役も完成しているか否かを判定する処理も行なう。そして、判定された上がり役についてはその上がり役コードの全てをＲＡＭ４２ａに記憶する。
【０１９６】
（ステップＳ２１）
続いて、メイン制御プログラムＰ１は、前記した特別遊技役獲得判定プログラムＰ８ｄのサブプログラムであるビッグゲーム役獲得判定プログラムを作動させて、遊技者が完成した上がり役が当該ゲームのビッグゲーム役と同一であるか否か、すなわち、ビックゲーム役の権利を獲得した上がり役であるか否かを判定する。そして、ビックゲーム役の権利を獲得していない場合には、チャンスゲーム役獲得判定プログラムを作動させて、遊技者が完成した上がり役が当該ゲームのチャンスゲーム役として決定された二つの上がり役のいずれか一方と同一であるか否か、すなわち、チャンスゲーム役の権利を獲得した上がり役であるか否かを判定する。この判定の結果、ビッグゲーム役、またはチャンスゲーム役の対象となる上がり役で上がっている場合には次のステップＳ２２に進み、上がっていない場合にはステップＳ２３に進むように制御する。
【０１９７】
（ステップＳ２２）
上記ステップＳ２１の判定結果、遊技者の上がり役がビッグゲーム役の権利を獲得できる上がり役であると判定されると、ＲＡＭ４２ａに設定した特別遊技フラグに「１」を記憶する。また、チャンスゲーム役の権利を獲得できる上がり役であると判定された場合には、特別遊技フラグに「２」を記憶する処理を行なう。
【０１９８】
なお、特別遊技フラグは、次回のゲーム進行の制御において、遊技者の自摸操作を、通常遊技のモード、あるいはビッグゲーム役またはチャンスゲーム役のモードで進行させるか否か等を判定するためのフラグである。
【０１９９】
（ステップＳ２３）
メイン制御プログラムＰ１は、メダル枚数判定プログラムＰ８ｃを作動させて、ステップＳ２０により判定した上がり役について、遊技者が入賞に伴って獲得できるメダルの枚数（ｍ１）を求め、ＲＡＭ４２ａに記憶する処理を行なう。このメダルの枚数（ｍ１）は、この判定した上がり役のコードについて、予めＲＯＭ４１ａに記憶している上がり役別入賞メダル獲得枚数テーブル（図１０参照）を参照して求める。この処理においては、前記したように、複合した上がり役が含まれている場合にはこの複合する上がり役についても入賞に伴うメダル枚数ｍ１も求める。これにより、複合した上がり役が完成されている場合には、これらすべての上がり役について入賞に伴うメダル枚数ｍ１を求め、これらｍ１の合計枚数を入賞に伴って獲得できるメダルの枚数（Ｍ１）とする処理を行なう。なお、ステップＳ２３の処理において、ビッグゲーム役の権利を獲得できる上がり役を完成した場合には、入賞に伴って獲得できるメダルの枚数（ｍ１）を、例えば、２倍にする処理を行なう。
【０２００】
（ステップＳ２４）
続いて、メイン制御プログラムＰ１は、得点増加手段となる加算メダル枚数算出プログラムＰ１２のサブプログラムであるドラ牌による得点増加プログラムＰ１２ａを作動させて、上記した入賞に伴って獲得できるメダルの枚数（Ｍ１）の他に、さらに加算するメダル枚数（Ｍ２）を求める処理を行なう。なお、ドラ牌による得点増加プログラムＰ１２ａが上がり役を完成した手牌データに含まれているドラ牌の個数、および加算メダル枚数を求める手順は、前記した通りである。
【０２０１】
（ステップＳ２５）
メイン制御プログラムＰ１は、前記ＲＡＭ４２ａに記憶した入賞に伴って獲得できるメダルの枚数（Ｍ１）と加算メダル枚数（Ｍ２）の合計枚数を求めてＲＡＭ４２ａに記憶する。この合計枚数（Ｍ１＋Ｍ２）が、遊技者が獲得できるメダル枚数となる。
【０２０２】
なお、１ゲームについて遊技者が獲得できるメダル枚数は、前記したように予め設定した枚数、例えば、３０枚を越えないように設定されているので、（Ｍ１＋Ｍ２）が３０枚を越えた場合には、遊技者が獲得できる合計メダル枚数は、「３０」にする処理を行なう。
【０２０３】
（ステップＳ２６）
遊技者は、上がりを完成させたので、上がりの制御コマンドとともに、上がり役コード、獲得メダル枚数等に関するデータを第１、第２の画像制御基板Ｋｃ、Ｋｂに送信する。この制御コマンドを受信すると、第１の画像制御基板Ｋｃは、ゲーム演出表示プログラムＰ３２ａ−２により、表示装置１０に上がり役完成の演出表示を、同様に、第２の画像制御基板Ｋｄはゲーム演出表示プログラムＰ４２ａ−２により、表示装置１６に上がり役完成の演出表示を所定の時間（数秒）行なう。
【０２０４】
また、遊技者が特別遊技役を獲得できる上がり役を完成した場合には、その制御コマンドを、第１の画像制御基板Ｋｃに送信する。この制御コマンドを受信すると、第１の画像制御基板Ｋｃは、特別遊技役獲得演出表示プログラムＰ３２ｂにより、表示装置１０に特別遊技役獲得の演出表示を行なうようにする。
【０２０５】
（ステップＳ２７）
続いて、メイン制御プログラムＰ１は、メダル払出制御プログラムＰ９を作動させて、ＲＡＭ４２ａに記憶した遊技者が獲得した（Ｍ１＋Ｍ２）枚のメダルを払い出す処理を行なう。
【０２０６】
（ステップＳ２８）
メイン制御プログラムＰ１は、ゲーム終了の処理を行なう。このゲーム終了の処理としては、ゲーム履歴データ記録プログラムＰ１１を作動させて、遊技者が今回実施して上がり役を完成させたことに関するゲームの履歴データを、ＲＡＭ４２ａの履歴データ記憶領域に追加、更新して記録する処理等を行なう。さらに、前記したように、ゲーム終了の制御コマンドをサブ制御基板Ｋｂ、第１および第２の画像制御基板Ｋｃ、Ｋｄに送信する。続いて、ステップＳ１に戻るように制御する。
【０２０７】
（特別遊技役の権利を獲得したゲームの進行制御）
（ステップＳ５０）
遊技者は、特別遊技役の権利を獲得したゲームを実行しているので、メイン制御プログラムＰ１は、ＲＡＭ４２ａに設定した特別遊技フラグの記憶内容を判定する処理を行なう。そして、特別遊技フラグに「１」が記憶されていると、ビッグゲーム役の権利を獲得したモードでゲームの進行を制御するステップＳ５１に進む。一方、特別遊技フラグに「２」が記憶されていると、チャンスゲーム役の権利を獲得したモードでゲームの進行を制御するステップＳ６１に進む。
【０２０８】
（ステップＳ５１）（ステップＳ５２）
ステップＳ５１においては、ビッグゲーム役の権利を獲得したゲームモードでゲームの進行制御を行なう。このゲーム進行の制御は、基本的にはステップＳ８、Ｓ８ａを除いた前記ステップＳ７〜ステップＳ１３の流れになるが、ステップＳ１０の自摸操作は、次のように遊技者にとって有利な操作になる。
【０２０９】
すなわち、遊技者がビックゲーム役の権利を獲得した次のゲームは、１４個の配牌が決定した後、遊技盤２のアタッカー作動口１２が有効になる。そして、遊技者が発射した遊技球がこのアタッカー作動口を通過すると、アタッカー１１が開口する。続いて、次に発射した遊技球がこのアタッカー１１に入球するごとに、表示装置１６に表示された２７種の牌の図柄から、牌選択ボタン２２ａ、２２ｂと決定ボタン２３の操作により所望する牌を自摸牌として選択できるようになる。そして、遊技者は捨て牌の操作と、上記した遊技者にとって有利な自摸操作を行なって上がりを完成させるとステップＳ５３に進み、流局になった場合にはステップＳ５９に進む。
【０２１０】
（ステップＳ５３）
ＲＡＭ４２ａに設定したビッグゲーム継続回数をカウントする領域に「１」を加算する。ビックゲーム役の権利を獲得したゲームを実施して上がり続けると、予め設定した上限回数、例えば、最高１４回までビックゲーム役の権利を獲得したゲームを継続して行なうことができる。ステップＳ５３では、このビッグゲーム継続回数をカウントするための処理を行なう。
【０２１１】
（ステップＳ５４）〜（ステップＳ５７）
ステップＳ５４〜ステップＳ５７の処理は、前記したステップＳ２１、Ｓ２２を除いたステップＳ２０〜ステップＳ２７の処理と同じ内容になる。すなわち、ステップＳ５４においては、上がり役判定プログラムＰ８ｂにより遊技者が上がりを完成させた手牌データの上がり役を判定する。続いて、ステップＳ５５において、遊技者が獲得したメダルの合計枚数（Ｍ１＋Ｍ２）を求める処理を行なう。
【０２１２】
このステップＳ５５では、メダル枚数判定プログラムＰ８ｃにより、ステップＳ５４により判定した上がり役について、遊技者が入賞に伴って獲得できるメダルの枚数Ｍ１を求め、次に、ドラ牌による得点増加プログラムＰ１２ａにより加算メダル枚数Ｍ２を求める処理を行なって、遊技者が獲得したメダルの合計枚数（Ｍ１＋Ｍ２）を求める。
【０２１３】
続いて、ステップＳ５６において、上がり役完成の制御コマンドとともに、上がり役コード、獲得メダル枚数等に関するデータを第１、第２の画像制御基板Ｋｃ、Ｋｂに送信して、第１の表示装置１０および第２の表示装置１６に上がり役完成の演出表示のための制御を行なう。次に、ステップＳ５７において、メイン制御プログラムＰ１は、メダル払出制御プログラムＰ９を作動させて、ＲＡＭ４２ａに記憶した遊技者が獲得した（Ｍ１＋Ｍ２）枚のメダルを払い出す処理を行なう。
【０２１４】
（ステップＳ５８）
ビッグゲームのゲーム継続回数が予め設定された上限回数を超えたか否かを判定する。この判定は、前記したＲＡＭ４２ａに設定したビッグゲーム継続回数の記憶内容をチェックすることにより行なう。そして、この上限回数を超えている場合にはステップＳ５９に進み、一方、上限回数をまだ超えていない場合には、ビッグゲーム継続回数を、サブ制御基板Ｋｂを経由して第１の画像制御基板Ｋｃに送信する制御を行なった後、ステップＳ６０に進む。
【０２１５】
（ステップＳ５９）
遊技者はビッグゲーム役の権利を失ったことになるので、特別遊技フラグに「０」を記憶する処理、およびビッグゲーム役の権利を失ったことを示す制御コマンドを、サブ制御基板Ｋｂを経由して第１の画像制御基板Ｋｃに送信する制御等を行なう。そして、ステップＳ６０に進む。
【０２１６】
（ステップＳ６０）
遊技者が今回実施したゲームの履歴データを、ＲＡＭ４２ａの履歴データ記憶領域に追加して記録する処理と、履歴データを更新する処理を行なって、ステップＳ１に戻る。
【０２１７】
（ステップＳ６１）（ステップＳ６２）
ステップＳ６１、Ｓ６２においては、チャンスゲーム役の権利を獲得したゲームの進行制御を行なう。このゲーム進行の制御は、前記したステップＳ５１、ステップＳ５２の処理と同じになる。
【０２１８】
（ステップＳ６３）
遊技者は上がり役を完成したので、前記したステップＳ５４〜Ｓ５７の処理を実施して、遊技者が獲得したメダルの合計枚数を求め、このメダルをメダル払出装置から遊技者に払い出すための処理を行なう。
【０２１９】
（ステップＳ６４）（ステップＳ６５）
チャンスゲーム役の権利を獲得したゲームを実施すると、１ゲームのみビッグゲームの権利を獲得したモードでゲームを実施することができる。従って、ステップＳ６４では、特別遊技フラグに「０」を記憶して、次のゲームは通常遊技のモードでゲームの進行制御を行なうようにする。続いて、ステップＳ６５に進んで、チャンスゲームのゲームが終了したことを示す制御コマンドを、サブ制御基板Ｋｂを経由して第１の画像制御基板Ｋｃに送信する制御等を行なう。そして、ステップＳ６０に進む。
【０２２０】
メイン制御基板Ｋａに搭載されているメイン制御プログラムＰ１は、上記したステップの処理を実行することによりゲームの進行を制御する。  
【０２２１】
なお、上記した実施形態において、遊技者がリーチボタン２１を押圧してゲームの場がリーチをかけた状態になると、メイン制御プログラムＰ１は自摸牌候補指定手段を作動させないようにする。また、遊技者の手牌データが自摸れば聴牌、あるいは自摸れば上がりの状態になったときにも、自摸牌候補指定手段を作動させないようにする。さらに、遊技者がビッグゲーム役、あるいはチャンスゲーム役の権利を獲得したゲームを実施するときにも、自摸牌候補指定手段を作動させないようにする。
【０２２２】
上記した本発明の実施形態は、各ゲームにおいて毎回の自摸操作を行なう前に、自摸牌候補指定手段を作動させて遊技者が自摸牌として希望する図柄を表示装置１０と対話方式で指定する。そして、この指定した図柄に対応する入球口に遊技球が入球しなかった場合には、遊技球が実際に入球した入球口に対応する図柄（自摸牌）は、手牌データに追加しないで自動的に捨て牌の処理を行なうようにした例について説明した。本発明の雀球遊技機は、さらに、次の手段を採用することができる。
【０２２３】
すなわち、ゲームごとに、自摸牌候補指定手段を作動させるか否かを、遊技者に選択させるようにする。この選択手段としては、表示装置１０に表示した「作動させる」または「作動させない」の一方を、右シフトボタン２２ａ、左シフトボタン２２ｂ、および選択決定ボタン２３の操作により対話方式により選択させる手段を採用する。そして、遊技者が自摸牌候補指定手段を「作動させない」ことを選択した場合には、メイン制御プログラムＰ１は、例えば、図１６に示すステップＳ１００〜Ｓ１０７の処理において、ステップＳ１０３、ステップＳ１０４、ステップＳ１０６のみを実行するように制御する。
【０２２４】
また、上記したゲームごとに自摸牌候補指定手段を作動させるか否かの選択手段は、操作パネル３にプッシュボタン等を設置し、遊技者にこのプッシュボタンの押圧操作により選択させる手段を採用してもよい。
【図面の簡単な説明】
【０２２５】
【図１】本発明の雀球遊技機において、その前面部の構成例を示す正面図である。
【図２】図１に示す雀球遊技機において、遊技盤の構成例を示す正面図である。
【図３】図１に示す雀球遊技機において、遊技盤の下部に設置されている入球口とその牌の図柄の配設例を示す図である。
【図４】図１に示す雀球遊技機において、操作パネルの構成例を説明するための正面図である。
【図５】図１に示す雀球遊技機において、第２の表示装置に表示する画面例を説明するための図である。
【図６】第１の表示装置に、遊技者が自摸操作を行なう前に、予め自摸牌として追加したい自摸牌を指定させるための画面例を示し、（ａ）は牌種を指定するための画面、（ｂ）は指定された牌種についてその図柄を指定するための画面である。
【図７】本発明の雀球遊技機の作動を制御する制御基板の構成を説明するための図である。
【図８】図７に示すメイン制御基板に搭載されているプログラムの構成例を示す図である。
【図９】本発明の雀球遊技機に用いられる麻雀牌の図柄と、この図柄に設定されている図柄コードとの関係を示す牌の図柄コードテーブルの構成例を説明するための図である。
【図１０】本発明の雀球遊技機に設定されているデータテーブルであって、上がり役の名称とそのコード、およびこの上がり役を完成させたときに遊技者が獲得できるメダル枚数を示す上がり役別入賞メダル枚数テーブルの構成例を説明するための図である。
【図１１】図７に示すサブ制御基板に搭載されているプログラムの構成例を説明するための図である。
【図１２】図７に示す第１の画像制御基板に搭載されているプログラムの構成例を説明するための図である。
【図１３】図７に示す第２の画像制御基板に搭載されているプログラムの構成例を説明するための図である。
【図１４】本発明の雀球遊技機において、ゲーム進行の制御の流れを説明するためのフローチャートである。
【図１５】同じく、ゲーム進行の制御の流れを説明するためのフローチャートである。
【図１６】同じく、ゲーム進行の制御の流れを説明するためのフローチャートである。
【図１７】同じく、ゲーム進行の制御の流れを説明するためのフローチャートである。
【符号の説明】
【０２２６】
１    ：雀球遊技機
２    ：遊技盤
３    ：操作パネル
１０  ：第１の表示装置
１１  ：アタッカー
１３ａ、１３ｂ、１３ｃ、・・・：入球口
１６  ：第２の表示装置
１８  ：遊技開始ボタン
１９ａ、１９ｂ、１９ｃ、・・・：捨て牌用ボタンスイッチ
２０  ：自摸牌の捨て牌用ボタンスイッチ
２１  ：リーチボタン
Ｐ１ｅ：自摸操作処理プログラム
Ｐ１ｅ−１：自摸牌自動捨て処理判定プログラム
Ｐ１ｆ：捨て牌操作処理プログラム
Ｐ６  ：自摸牌候補指定支援プログラム
Ｐ８  ：入賞判定プログラム
Ｐ３２ａ−３：自摸牌候補指定画面表示プログラム
Ｌ１、Ｌ２、・・・、Ｌ２７：発光手段
【図１】
2007244744.tif 000003
【図２】
2007244744.tif 000004
【図３】
2007244744.tif 000005
【図４】
2007244744.tif 000006
【図５】
2007244744.tif 000007
【図６】
2007244744.tif 000008
【図７】
2007244744.tif 000009
【図８】
2007244744.tif 000010
【図９】
2007244744.tif 000011
【図１０】
2007244744.tif 000012
【図１１】
2007244744.tif 000013
【図１２】
2007244744.tif 000014
【図１３】
2007244744.tif 000015
【図１４】
2007244744.tif 000016
【図１５】
2007244744.tif 000017
【図１６】
2007244744.tif 000018
【図１７】
2007244744.tif 000019